(57)【要約】  制御フォーマットを指示するためのイボルブドノードＢ（ｅＮＢ）が記載される。ｅＮＢは、プロセッサと、プロセッサと電子通信するメモリに記憶された命令とを含む。ｅＮＢは、第一エンハンスト物理制御フォーマット指示チャネル（ｅＰＣＦＩＣＨ）に対応する第一エンハンスト制御フォーマット指示子（ｅＣＦＩ）を生成する。第一ｅＣＦＩは、少なくとも部分的に第一エンハンスト物理ダウンリンク制御チャネル（ｅＰＤＣＣＨ）領域を指示する。また、ｅＮＢは、第一ｅＣＦＩを第一スロットの第一セットのリソースエレメントにロードする。加えてｅＮＢは、第一ｅＣＦＩを第一サブフレームの第一スロットにおいて送信する。
2015508579.tif 000002
【特許請求の範囲】
【請求項１】
制御フォーマットを指示するためのイボルブドノードＢ（ｅＮＢ）であって、
プロセッサと；
前記プロセッサと電子通信するメモリと；
前記メモリに記憶された命令であって、前記命令が、
第一エンハンスト物理制御フォーマット指示チャネル（ｅＰＣＦＩＣＨ）に対応する第一エンハンスト制御フォーマット指示子（ｅＣＦＩ）を生成すること、ただし前記第一ｅＣＦＩは、少なくとも部分的に第一エンハンスト物理ダウンリンク制御チャネル（ｅＰＤＣＣＨ）領域を指示するものとする；
前記第一ｅＣＦＩを第一スロットの第一セットのリソースエレメントにロードすること；および
前記第一ｅＣＦＩを第一サブフレームの前記第一スロットにおいて送信すること
を実行することが可能な、前記命令と
を含む、ｅＮＢ。
【請求項２】
前記第一セットのリソースエレメントが、初めに前記第一スロットの時間リソースにわたり、それから周波数リソースにわたり、ロードされる、請求項１に記載のｅＮＢ。
【請求項３】
前記第一セットのリソースエレメントが、前記第一スロットの始めのある数のリソースエレメント、前記第一スロットの終わりのある数のリソースエレメント、前記第一スロットの動的セル固有セットのリソースエレメント、前記第一スロットの静的セル固有セットのリソースエレメント、および前記第一スロットの半静的セル固有セットのリソースエレメントからなるグループのうちの一つを含む、請求項１に記載のｅＮＢ。
【請求項４】
前記命令が、第一セットのｅＣＦＩビットをインターリーブすることをさらに実行することが可能である、請求項１に記載のｅＮＢ。
【請求項５】
前記命令が、セル固有のスクランブルシーケンスにより第一セットのｅＣＦＩビットをスクランブルすることをさらに実行することが可能である、請求項１に記載のｅＮＢ。
【請求項６】
前記命令が、前記第一セットのリソースエレメントを指示するシステム情報シグナリング、無線リソース制御（ＲＲＣ）シグナリング、物理ダウンリンク制御チャネル（ＰＤＣＣＨ）共通制御シグナリングまたはｅＰＤＣＣＨ共通制御シグナリングからなるグループのうちの少なくとも一つを送信することをさらに実行することが可能である、請求項１に記載のｅＮＢ。
【請求項７】
前記第一ｅＰＣＦＩＣＨが、共通サーチスペースの第一ダウンリンク制御情報（ＤＣＩ）である、請求項１に記載のｅＮＢ。
【請求項８】
前記命令が、無線リソース制御（ＲＲＣ）シグナリングを送信することによりランダム周波数オフセットをシグナリングすることをさらに実行することが可能である、請求項１に記載のｅＮＢ。
【請求項９】
前記命令が、
第二ｅＰＣＦＩＣＨに対応する第二ｅＣＦＩを生成すること；および
前記第二ｅＣＦＩを前記第一サブフレームの第二スロットの第二セットのリソースエレメントにロードすること
をさらに実行することが可能である、請求項１に記載のｅＮＢ。
【請求項１０】
前記第一ｅＰＣＦＩＣＨに適用される第一ランダム周波数オフセットが、前記第二ｅＰＣＦＩＣＨに適用される第二ランダム周波数オフセットとは別々である、請求項９に記載のｅＮＢ。
【請求項１１】
前記命令が、
第二ｅＰＣＦＩＣＨを第二レイヤの前記第一スロットにマッピングすること；および
前記第一ｅＰＣＦＩＣＨを第一レイヤの前記第一スロットにマッピングすること、ただし前記第一ｅＰＣＦＩＣＨはプリコーディングされず、または前記第一ｅＰＣＦＩＣＨは、ユーザ機器（ＵＥ）のセットに共通のプリコーディングマトリックスに基づいてプリコーディングされるものとする
をさらに実行することが可能である、請求項１に記載のｅＮＢ。
【請求項１２】
前記第一ｅＣＦＩが、１〜ある数の間の値を有し、前記数の単位が、リソースブロック、リソースエレメント、連続したリソースエレメントのセット、およびリソースブロックの分数からなるグループのうちの一つに基づいて定義される、請求項１に記載のｅＮＢ。
【請求項１３】
前記命令が、前記数の前記単位をシグナリングすることをさらに実行することが可能である、請求項１２に記載のｅＮＢ。
【請求項１４】
制御フォーマットを決定するためのユーザ機器（ＵＥ）であって、
プロセッサと；
前記プロセッサと電子通信するメモリと；
前記メモリに記憶された命令であって、前記命令が、
第一サブフレームを受信すること；
第一エンハンスト物理制御フォーマット指示チャネル（ｅＰＣＦＩＣＨ）に対応する第一エンハンスト制御フォーマット指示子（ｅＣＦＩ）を取得すること、ただし前記第一ｅＣＦＩは少なくとも部分的に第一物理ダウンリンク制御チャネル（ｅＰＤＣＣＨ）領域を指示するものとする；および
前記第一ｅＣＦＩに基づいて前記ｅＰＤＣＣＨ領域を決定すること
を実行することが可能な、前記命令と
を含む、ＵＥ。
【請求項１５】
前記ＵＥが第二スロットの第二ｅＰＣＦＩＣＨに対応する第二ｅＣＦＩを取得しない場合には、前記命令が、第一スロットの前記第一ｅＣＦＩのパラメータを前記第二スロットに適用することをさらに実行することが可能である、請求項１４に記載のＵＥ。
【請求項１６】
イボルブドノードＢ（ｅＮＢ）により制御フォーマットを指示する方法であって、
第一エンハンスト物理制御フォーマット指示チャネル（ｅＰＣＦＩＣＨ）に対応する第一エンハンスト制御フォーマット指示子（ｅＣＦＩ）を生成するステップであって、前記第一ｅＣＦＩは、少なくとも部分的に第一エンハンスト物理ダウンリンク制御チャネル（ｅＰＤＣＣＨ）領域を指示する、ステップと；
前記第一ｅＣＦＩを第一スロットの第一セットのリソースエレメントにロードするステップと；
前記第一ｅＣＦＩを第一サブフレームの前記第一スロットにおいて送信するステップと
を含む、方法。
【請求項１７】
前記第一セットのリソースエレメントが、初めに前記第一スロットの時間リソースにわたり、それから周波数リソースにわたり、ロードされる、請求項１６に記載の方法。
【請求項１８】
前記第一セットのリソースエレメントが、前記第一スロットの始めのある数のリソースエレメント、前記第一スロットの終わりのある数のリソースエレメント、前記第一スロットの動的セル固有セットのリソースエレメント、前記第一スロットの静的セル固有セットのリソースエレメント、および前記第一スロットの半静的セル固有セットのリソースエレメントからなるグループのうちの一つを含む、請求項１６に記載の方法。
【請求項１９】
第一セットのｅＣＦＩビットをインターリーブするステップをさらに含む、請求項１６に記載の方法。
【請求項２０】
セル固有のスクランブルシーケンスにより第一セットのｅＣＦＩビットをスクランブルするステップをさらに含む、請求項１６に記載の方法。
【請求項２１】
前記第一セットのリソースエレメントを指示するシステム情報シグナリング、無線リソース制御（ＲＲＣ）シグナリング、物理ダウンリンク制御チャネル（ＰＤＣＣＨ）共通制御シグナリングまたはｅＰＤＣＣＨ共通制御シグナリングからなるグループのうちの少なくとも一つを送信するステップをさらに含む、請求項１６に記載の方法。
【請求項２２】
前記第一ｅＰＣＦＩＣＨが、共通サーチスペースの第一ダウンリンク制御情報（ＤＣＩ）である、請求項１６に記載の方法。
【請求項２３】
無線リソース制御（ＲＲＣ）シグナリングを送信することによりランダム周波数オフセットをシグナリングするステップをさらに含む、請求項１６に記載の方法。
【請求項２４】
第二ｅＰＣＦＩＣＨに対応する第二ｅＣＦＩを生成するステップと；
前記第二ｅＣＦＩを前記第一サブフレームの第二スロットの第二セットのリソースエレメントにロードするステップと
をさらに含む、請求項１６に記載の方法。
【請求項２５】
前記第一ｅＰＣＦＩＣＨに適用される第一ランダム周波数オフセットが、前記第二ｅＰＣＦＩＣＨに適用される第二ランダム周波数オフセットとは別々である、請求項２４に記載の方法。
【請求項２６】
第二ｅＰＣＦＩＣＨを第二レイヤの前記第一スロットにマッピングするステップと；
前記第一ｅＰＣＦＩＣＨを第一レイヤの前記第一スロットにマッピングするステップであって、前記第一ｅＰＣＦＩＣＨはプリコーディングされず、または前記第一ｅＰＣＦＩＣＨは、ユーザ機器（ＵＥ）のセットに共通のプリコーディングマトリックスに基づいてプリコーディングされる、ステップと
をさらに含む、請求項１６に記載の方法。
【請求項２７】
前記第一ｅＣＦＩが、１〜ある数の間の値を有し、前記数の単位が、リソースブロック、リソースエレメント、連続したリソースエレメントのセット、およびリソースブロックの分数からなるグループのうちの一つに基づいて定義される、請求項１６に記載の方法。
【請求項２８】
前記数の前記単位をシグナリングするステップをさらに含む、請求項２７に記載の方法。
【請求項２９】
ユーザ機器（ＵＥ）上で制御フォーマットを決定する方法であって、
第一サブフレームを受信するステップと；
第一エンハンスト物理制御フォーマット指示チャネル（ｅＰＣＦＩＣＨ）に対応する第一エンハンスト制御フォーマット指示子（ｅＣＦＩ）を取得するステップであって、前記第一ｅＣＦＩは、少なくとも部分的に第一物理ダウンリンク制御チャネル（ｅＰＤＣＣＨ）領域を指示する、ステップと；
前記第一ｅＣＦＩに基づいて前記ｅＰＤＣＣＨ領域を決定するステップと
を含む、方法。
【請求項３０】
第二スロットの第二ｅＰＣＦＩＣＨに対応する第二ｅＣＦＩが取得されない場合には、前記方法が、第一スロットの前記第一ｅＣＦＩのパラメータを前記第二スロットに適用するステップをさらに含む、請求項２９に記載の方法。
【発明の詳細な説明】
【技術分野】
【０００１】
本開示は、一般に通信システムに関する。特に、本開示は、エンハンスト物理制御フォーマット指示チャネル（ｅＰＣＦＩＣＨ：ｅｎｈａｎｃｅｄ  Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）のシグナリングのためのデバイスに関する。
【背景技術】
【０００２】
ワイヤレス通信デバイスは、消費者のニーズを満たし、携帯性および利便性を高めるために、より小型で強力になっている。消費者はワイヤレス通信デバイスに依存するようになり、信頼できるサービス、カバレッジエリアの拡大および機能性の増大を期待するようになっている。ワイヤレス通信システムは、複数のワイヤレス通信デバイスに通信を提供でき、各ワイヤレス通信デバイスに基地局が対応しうる。基地局は、ワイヤレス通信デバイスと通信しうる。
【０００３】
ワイヤレス通信デバイスが進歩するに伴い、通信能力、速度、柔軟性および／または効率の向上が求められている。しかし、通信能力、速度、柔軟性および／または効率の向上は、ある問題を提示する可能性がある。
【０００４】
例えば、ワイヤレス通信デバイスは、通信構造を使用して一つ以上のデバイスと通信しうる。しかし、使用される通信構造が限定的な柔軟性および／または効率しか提供しないこともある。本論で示すように、通信の柔軟性および／または効率を向上させるシステムおよび方法が有益であろう。
【発明の概要】
【課題を解決するための手段】
【０００５】
本発明の一実施形態は、制御フォーマットを指示するためのイボルブドノードＢ（ｅＮＢ：ｅｖｏｌｖｅｄ  Ｎｏｄｅ  Ｂ）であって、プロセッサと；プロセッサと電子通信するメモリと；メモリに記憶された命令であって、第一エンハンスト物理制御フォーマット指示チャネル（ｅＰＣＦＩＣＨ）に対応する第一エンハンスト制御フォーマット指示子（ｅＣＦＩ：ｅｎｈａｎｃｅｄ  Ｃｏｎｔｒｏｌ  Ｆｏｒｍａｔ  Ｉｎｄｉｃａｔｏｒ）を生成すること、ただし第一ｅＣＦＩは少なくとも部分的に第一エンハンスト物理ダウンリンク制御チャネル（ｅＰＤＣＣＨ：ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）領域を指示するものとする；第一ｅＣＦＩを第一スロットの第一セットのリソースエレメントにロードすること；および第一ｅＣＦＩを第一サブフレームの第一スロットにおいて送信することを実行することが可能な、命令とを含む、ｅＮＢを開示する。
【０００６】
本発明の別の実施形態は、制御フォーマットを決定するためのユーザ機器（ＵＥ：Ｕｓｅｒ  Ｅｑｕｉｐｍｅｎｔ）であって、プロセッサと；プロセッサと電子通信するメモリと；メモリに記憶された命令であって、第一サブフレームを受信すること；第一エンハンスト物理制御フォーマット指示チャネル（ｅＰＣＦＩＣＨ）に対応する第一エンハンスト制御フォーマット指示子（ｅＣＦＩ）を取得すること、ただし第一ｅＣＦＩは少なくとも部分的に第一物理ダウンリンク制御チャネル（ｅＰＤＣＣＨ）領域を指示するものとする；および第一ｅＣＦＩに基づいてｅＰＤＣＣＨ領域を決定することを実行することが可能な命令とを含む、ＵＥを開示する。
【０００７】
本発明の別の実施形態は、イボルブドノードＢ（ｅＮＢ）により制御フォーマットを指示する方法であって、第一エンハンスト物理制御フォーマット指示チャネル（ｅＰＣＦＩＣＨ）に対応する第一エンハンスト制御フォーマット指示子（ｅＣＦＩ）を生成するステップであって、第一ｅＣＦＩは少なくとも部分的に第一エンハンスト物理ダウンリンク制御チャネル（ｅＰＤＣＣＨ）領域を指示するステップと；第一ｅＣＦＩを第一スロットの第一セットのリソースエレメントにロードするステップと；第一ｅＣＦＩを第一サブフレームの第一スロットにおいて送信するステップとを含む、方法を開示する。
【０００８】
本発明の別の実施形態は、ユーザ機器（ＵＥ）上で制御フォーマットを決定する方法であって、第一サブフレームを受信するステップと；第一エンハンスト物理制御フォーマット指示チャネル（ｅＰＣＦＩＣＨ）に対応する第一エンハンスト制御フォーマット指示子（ｅＣＦＩ）を取得するステップであって、第一ｅＣＦＩは少なくとも部分的に第一物理ダウンリンク制御チャネル（ｅＰＤＣＣＨ）領域を指示するステップと；第一ｅＣＦＩに基づいてｅＰＤＣＣＨ領域を決定するステップとを含む、方法を開示する。
【図面の簡単な説明】
【０００９】
【図１】エンハンスト物理制御フォーマット指示チャネル（ｅＰＣＦＩＣＨ）のシグナリングのためのシステムおよび方法を実装できる、イボルブドノードＢ（ｅＮＢ）および一つ以上のユーザ機器（ＵＥ）の一構成を示したブロックダイヤグラムである。
【図２】制御フォーマットを指示する方法２００の一構成を示した流れ図である。
【図３】制御フォーマットを決定する方法３００の一構成を示した流れ図である。
【図４】スロットの一例を示したブロックダイヤグラムである。
【図５】スロットの別の例を示したブロックダイヤグラムである。
【図６】スロットの別の例を示したブロックダイヤグラムである。
【図７】スロットの別の例を示したブロックダイヤグラムである。
【図８】連続したリソースエレメントを割り当てることができるやり方のいくつかの例を示したブロックダイヤグラムである。
【図９】エンハンスト物理制御フォーマット指示チャネル（ｅＰＣＦＩＣＨ）のリソース割り当ておよびシンボルマッピングの例を示したブロックダイヤグラムである。
【図１０】ユーザ機器（ＵＥ）において利用できる様々な構成要素を示した図である。
【図１１】イボルブドノードＢ（ｅＮＢ）において利用できる様々な構成要素を示した図である。
【発明を実施するための形態】
【００１０】
「３ＧＰＰ」とも呼称される第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムのグローバルに適用可能な技術仕様書および技術報告書を定めることを目指す協力合意である。３ＧＰＰは、次世代モバイルネットワーク、システムおよびデバイスのための仕様書を定めうる。
【００１１】
３ＧＰＰ  Ｌｏｎｇ  Ｔｅｒｍ  Ｅｖｏｌｕｔｉｏｎ（ＬＴＥ）は、ユニバーサル移動体通信システム（ＵＭＴＳ；Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）携帯電話またはデバイス規格を改善して将来的要求に対処するためのプロジェクトに与えられた名称である。一面ではＵＭＴＳは、イボルブドユニバーサル地上無線アクセス（Ｅ−ＵＴＲＡ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）およびイボルブドユニバーサル地上無線アクセスネットワーク（Ｅ−ＵＴＲＡＮ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のサポートおよび仕様を提供するように修正されている。
【００１２】
本明細書に開示されるシステムおよび方法の少なくとも一部の態様は、３ＧＰＰ  Ｌｏｎｇ  Ｔｅｒｍ  Ｅｖｏｌｕｔｉｏｎ（ＬＴＥ）、ＬＴＥ−Ａｄｖａｎｃｅｄ（ＬＴＥ−Ａ）ならびに他の規格（例えば３ＧＰＰ  Ｒｅｌｅａｓｅ８、９、１０および／または１１）に関して記載されうる。しかし、本開示の範囲はこの点に関して制限されてはならない。本明細書に開示されるシステムおよび方法の少なくとも一部の態様は、他のタイプのワイヤレス通信システムにおいて利用されてもよい。
【００１３】
ワイヤレス通信デバイスは、音声および／またはデータを基地局に通信するために使用される電子デバイスであればよく、基地局がさらにデバイスのネットワーク（例えば公衆交換電話回線網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信しうる。本明細書のシステムおよび方法を説明する際には、ワイヤレス通信デバイスを、移動局、ユーザ機器（ＵＥ）、アクセス端末、加入者局、移動端末、遠隔局、ユーザ端末、端末、加入者単位、移動デバイスなどと代替的に呼称することもできる。ワイヤレス通信デバイスの例には、携帯電話、スマートフォン、パーソナルデジタルアシスタント（ＰＤＡ）、ラップトップコンピュータ、ネットブック、ｅリーダ、ワイヤレスモデムなどが含まれる。３ＧＰＰ仕様書においては、ワイヤレス通信デバイスは典型的にユーザ機器（ＵＥ）と呼称される。しかし、本開示の範囲は３ＧＰＰ規格に限定されてはならないため、本明細書においては、「ＵＥ」および「ワイヤレス通信デバイス」という用語は、より一般的な「ワイヤレス通信デバイス」という用語を意味するものとして互換可能に使用されうる。
【００１４】
３ＧＰＰ仕様書においては、基地局は典型的にノードＢ、イボルブドまたはエンハンストノードＢ（ｅＮＢ：ｅｖｏｌｖｅｄまたはｅｎｈａｎｃｅｄ  Ｎｏｄｅ  Ｂ）、ホームエンハンストまたはイボルブドノードＢ（ＨｅＮＢ：ｈｏｍｅ  ｅｎｈａｎｃｅｄまたはｅｖｏｌｖｅｄ  Ｎｏｄｅ  Ｂ）または他の何らかの類似の用語で呼称される。本開示の範囲は３ＧＰＰ規格に限定されてはならないため、本明細書においては、「基地局」、「ノードＢ」、「ｅＮＢ」、および「ＨｅＮＢ」という用語は、より一般的な「基地局」という用語を意味するものとして互換可能に使用されうる。さらに、「基地局」という用語は、アクセスポイントを示すものとして使用されうる。アクセスポイントは、ワイヤレス通信デバイスにネットワーク（例えばローカルエリアネットワーク（ＬＡＮ：Ｌｏｃａｌ  Ａｒｅａ  Ｎｅｔｗｏｒｋ）、インターネットなど）へのアクセスを提供する電子デバイスであればよい。「通信デバイス」という用語は、ワイヤレス通信デバイスおよび／または基地局の両方を示すものとして使用されうる。
【００１５】
本明細書において使用されるところの「セル」は、Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ（ＩＭＴ−Ａｄｖａｎｃｅｄ）に使用されるよう標準化団体または規制団体により特定される任意の通信チャネルであればよく、その通信チャネルの全てまたはサブセットが、ノードＢ（例えばｅノードＢ）とＵＥとの間の通信に使用される認可帯域（例えば周波数帯域）として３ＧＰＰにより採用さていればよい。「構成されたセル」とは、ＵＥが認識しており、ノードＢ（例えばｅＮＢ）によって情報を伝送または受信することを許されたセルである。「構成されたセル（単数または複数）」は、サービングセル（単数または複数）でありうる。ＵＥは、システム情報を受信し、全ての構成されたセルに対して必要な測定を行いうる。「アクティブ化されたセル」とは、ＵＥが伝送および受信を行っている構成されたセルである。すなわち、アクティブ化されたセルは、ＵＥが物理ダウンリンク制御チャネル（ＰＤＣＣＨ）またはエンハンストＰＤＣＣＨ（ｅＰＤＣＣＨ）をモニタしうるセルであり、ダウンリンク伝送のケースでは、ＵＥが物理ダウンリンクシェアドチャネル（ＰＤＳＣＨ：Ｐｈｙｓｉｃａｌ  Ｄｏｗｎｌｉｎｋ  Ｓｈａｒｅｄ  Ｃｈａｎｎｅｌ）またはエンハンストＰＤＳＣＨ（ｅＰＤＳＣＨ：ｅｎｈａｎｃｅｄ  ＰＤＳＣＨ）を復号化するセルである。「非アクティブ化されたセル」とは、ＵＥが伝送されるＰＤＣＣＨまたはｅＰＤＣＣＨをモニタしていない、構成されたセルである。「セル」は、様々な次元に関して記載することができる点に注意しなければならない。例えば「セル」は、時間特性、空間特性（例えば地理的特性）および周波数特性を持ちうる。
【００１６】
本明細書に開示されるシステムおよび方法は、動的アドレッシングを可能にするように適用することができる。一般に、アドレッシング方式は、ハードディスクアドレッシング、メモリアドレッシング、ホームアドレッシング等の多くのアプリケーションで見られる。セルラＬＴＥでは、ミリ秒（ｍｓ）あたりに（例えば１ｍｓ毎に）割り当てられるリソースグリッドがある。１ｍｓに割り当てられるリソースを、１サブフレームと呼称しうる。各サブフレームは、二つのスロットを有する。サブフレームのリソースグリッドは、時間および周波数の二つの次元を有する。リソースグリッドに関しては、図４と関連してさらに詳述する。
【００１７】
時間ドメインには、（延長サイクリックプレフィックスが使用されるか通常サイクリックプレフィックスが使用されるかによって）サブフレームあたり１２または１４シンボルがありうる。これらのシンボルは、直交周波数分割多重（ＯＦＤＭ：Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）シンボルとすればよい。周波数ドメインには、Ｎサブキャリアがありうる。サブキャリアの数は、通信に利用可能な帯域幅に依存しうる。
【００１８】
３ＧＰＰ  Ｒｅｌｅａｓｅ８仕様では、基地局（例えばｅＮＢ）が、（制御チャネルのペイロードに応じて）一つ、二つまたは三つのＯＦＤＭシンボルを、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）として知られる制御チャネルの伝送に割り当てうる。ＰＤＣＣＨに割り当てられるＯＦＤＭシンボルの数は、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、物理制御フォーマット指示チャネル）として知られる別の制御チャネルを通じてＵＥにシグナリングされうる。ＰＣＦＩＣＨは、各ダウンリンクサブフレームの最初のＯＦＤＭシンボルの固定リソースエレメントに配置される。ＵＥは、ＰＣＦＩＣＨを受信することにより、ＰＤＣＣＨにいくつのＯＦＤＭシンボルが割り当てられているかを知る。
【００１９】
ＰＤＣＣＨにおいてＵＥに伝送される情報量はアプリオリに知られていないため、ＵＥはＰＤＣＣＨをどのように復号化するかを知らない。この問題を解決するために、ダウンリンク制御情報（ＤＣＩ：Ｄｏｗｎｌｉｎｋ  Ｃｏｎｔｒｏｌ  Ｉｎｆｏｒｍａｔｉｏｎ）として知られる予め特定された長さのパケットにおいて制御情報が送信される。ＤＣＩは、様々な情報を搬送しうる。例えば、一つのＤＣＩはＵＥにダウンリンクリソース割り当てを知らせるために使用されればよく、別のＤＣＩは特定のＵＥにアップリンクリソース割り当てを知らせるために使用されればよい、などである。したがって、ＤＣＩの機能性に応じて、異なる機能性を有する異なるＤＣＩは異なる長さを有しうる。異なるＤＣＩは、ＤＣＩフォーマットと呼称されうるＤＣＩのフォーマット化または符号化の方法によって区別することができる。「リソース割り当て」は、一つ以上のリソースエレメントを割り当てることをさしうる点に注意しなければならない。
【００２０】
ＵＥはダウンリンク制御情報を前もって知らないため、ダウンリンク制御チャネルにおいていくつのＤＣＩがどのフォーマットで伝送されているかを知らない。したがってＵＥは、ＤＣＩの全ての可能な組み合わせをサーチし、盲目的にテストしうる。サーチを減らすために、（例えばＵＥごとに）ダウンリンク制御チャネルの伝送に割り当てられるリソースが、共通サーチスペースとＵＥ固有サーチスペースとの二つの領域に分割される。二つのサーチスペースの領域が、全てのＵＥに前もってシグナリングされる。したがって、全ＵＥが共通サーチスペースを知っており、各ＵＥ（だけ）がそのＵＥ自身のＵＥ固有サーチスペースを知っている。
【００２１】
「領域」は、時間および周波数リソースの集合でありうる。制御情報すなわち（共通サーチスペースの）共通制御情報および（ＵＥ固有サーチスペースの）ＵＥ固有制御情報の伝送に割り当てられうる二つの領域がある。ダウンリンク制御情報（ＤＣＩ）として知られる各制御情報は、物理ダウンリンク制御チャネル（ＰＤＣＣＨ）として知られるチャネルで伝送されうる。任意の所与のＰＤＣＣＨにより占有される物理リソースは、共通領域（例えば共通サーチスペース）内またはＵＥ固有領域（例えばＵＥ固有サーチスペース）内にありうる。
【００２２】
３ＧＰＰ  Ｒｅｌｅａｓｅ８〜１０仕様のように全ＯＦＤＭシンボルを制御情報に割り当てることは無駄でありうる。例えば基地局は、ＯＦＤＭシンボル全体を満たすのに十分な情報を有しないこともある。このケースでは、ＰＤＣＣＨに割り当てられたＯＦＤＭシンボルの空の部分が無駄になる。この欠点を除去するために、本明細書に開示されるシステムおよび方法により、リソース（例えばリソースエレメント）が、周波数から（例えばＯＦＤＭシンボルにしたがって周波数軸に沿って）ではなく、時間ドメインから割り当てられうる。このアプローチは、予想されるＲｅｌｅａｓｅ１１仕様に適用されればよい。換言すれば、ｅＮＢは、ＯＦＤＭシンボルを制御情報の伝送に割り当てる代わりに、サブフレーム内のサブキャリアを制御情報の伝送に割り当てればよい。
【００２３】
したがって、本明細書に開示されるシステムおよび方法により、ＰＤＣＣＨ領域をＵＥに指示する（例えば宛てる）ことができるいくつかのやり方を説明しうる。一例では、基地局（例えばｅＮＢ）がＵＥに、ＰＤＣＣＨの開始リソースおよびＰＤＣＣＨ（またはｅＰＤＣＣＨ）のサイズ（例えば長さ）を指示しうる。
【００２４】
本明細書に開示されるシステムおよび方法は、オーバーヘッドの量を管理しながら、基地局のスケジューリングの柔軟性を高めることができる。例えばＰＤＣＣＨの開始リソースおよび／またはサブキャリア等、情報のいくつかの部分は半静的でありうる。情報のいくつかの部分は半静的としうる一方で、ＰＤＣＣＨのサイズ（例えば長さ）等、情報の他の部分は動的にシグナリングされうる。
【００２５】
予想される３ＧＰＰ  Ｒｅｌｅａｓｅ１１仕様のために、エンハンスト物理制御チャネル（ｅＰＤＣＣＨ）として知られる新たな制御チャネルが設計されている。ＵＥの複雑性を低減するため、ＵＥでｅＰＤＣＣＨの境界もサイズも決定する（例えば知る）ことができる。３ＧＰＰ仕様の以前のリリース（例えばＲｅｌｅａｓｅ８〜１０）では、明示的シグナリングが使用される。しかし、シグナリングに対する修正が有益であろう。本明細書に開示されるシステムおよび方法は、ｅＰＤＣＣＨのサイズおよび使用されるリソースにつきＵＥに知らせるための解決策を提供する。
【００２６】
本明細書に開示されるシステムおよび方法は、以下に述べる特徴の一つ以上を提供することができる。サブフレームの一方または両方のスロットが、それぞれ各自のエンハンスト（または拡張）物理制御フォーマット指示チャネル（ｅＰＣＦＩＣＨ）を有しうる。いくつかの構成では、各スロットが、異なるランダムな周波数オフセットを有しうる。サブフレームの第二スロットにｅＰＣＦＩＣＨが存在しない場合には、第一ｅＰＣＦＩＣＨにより与えられるのと同じパラメータが想定されうる。
【００２７】
複数アンテナシステムでは、各レイヤが別々のｅＰＣＦＩＣＨを有しうる。いくつかの構成では、ｅＰＣＦＩＣＨはプリコーディングされない。しかし、ｅＰＣＦＩＣＨがプリコーディングされる構成では、全ての意図された受信者ＵＥに共通するプリコーディングマトリックスによってｅＰＣＦＩＣＨがプリコーディングされればよい。
【００２８】
本明細書に開示されるシステムおよび方法は、以下のような一つ以上の物理リソース割り当て機能を含むことができる。スロットの（冗長性を考慮して）最初のＫリソースエレメント、スロットの最後のＫリソースエレメント、またはスロットの動的、静的もしくは半静的セル固有セットのリソースエレメントが、ｅＰＣＦＩＣＨの伝送に割り当てられうる。いくつかの構成では、（例えばリソースグリッドのリソースエレメントにしたがって）シンボルが最初に時間ドメインに、それから周波数にわたり、ロードされうる。
【００２９】
配分前にビットまたはシンボルをシャッフルするために、任意のタイプのインターリーバが使用されうる。ｅＰＣＦＩＣＨをスクランブルするために、セル固有のスクランブラが使用されうる。いくつかの構成では、システム情報を介した静的割り当てが適用されうる。いくつかの構成では、無線リソース制御（ＲＲＣ：Ｒａｄｉｏ  Ｒｅｓｏｕｒｃｅ  Ｃｏｎｔｒｏｌ）シグナリングを介した半静的または半動的割り当てが適用されうる。いくつかの構成では、ＰＤＣＣＨまたはｅＰＤＣＣＨ共通制御シグナリングを介した動的または半動的割り当てが適用されうる。ｅＰＣＦＩＣＨは、共通サーチスペースの最初のダウンリンク制御情報（ＤＣＩ）であればよい。例えば、ｅＰＣＦＩＣＨのために新たなＤＣＩが定義されてもよい。
【００３０】
干渉を低減するため、ランダムな周波数オフセットが適用されうる。例えば周波数オフセットはセル固有パラメータによって指示されればよく、セル固有パラメータはＲＲＣシグナリングされればよく、またはＵＥでセルＩＤ（例えばセル識別子、セル識別またはセル識別情報）に基づいて計算されればよい。
【００３１】
ｅＰＣＦＩＣＨは、一つ以上のエンハンスト制御フォーマット指示子（ｅＣＦＩ）を搬送し、各ｅＣＦＩが１〜ｎの間の値をとることができる。したがって、ｅＣＦＩは、ｙ＝ｃｅｉｌｉｎｇ（Ｌｏｇ２（ｎ））ビットを要すると考えられ、ｃｅｉｌｉｎｇ（ａ）はａより大きい最小の整数を返す関数である。ｎは、以下の単位または次元の一つ以上を有しうる：リソースブロック、リソースエレメント、ｘの連続したリソースエレメントのグループおよびリソースブロックの分数（例えば１／２または１／３）。いくつかの構成では、ｎの単位または次元は、（例えばＲＲＣシグナリングを通じて）半静的態様で変動しうる。
【００３２】
時間スロットのリソースグリッドは、以下のように設けられうる。リソースブロック内のリソースエレメントが（ｋ，ｌ）としてインデックス化され、ｋは周波数ドメインのサブキャリアのインデックスであり、ｌは時間ドメインの直交周波数分割多重（ＯＦＤＭ）シンボルのインデックスである。リソースグリッドに関しては、以下で図４と関連してさらに詳述する。
【００３３】
Ｒｅｌｅａｓｅｓ８〜１０ではダウンリンクにおいて、最初の一つ、二つまたは三つのＯＦＤＭシンボルが、物理ダウンリンク制御チャネル（ＰＤＣＣＨ）の伝送のために動的に割り当てられる。ＰＤＣＣＨ専用のＯＦＤＭシンボルの数に関する情報は、物理制御フォーマット指示チャネル（ＰＣＦＩＣＨ）において搬送される。ＰＣＦＩＣＨは、制御フォーマット指示子（ＣＦＩ）と呼称される二ビットの情報を搬送する。ＣＦＩは、ＰＤＣＣＨに一つのＯＦＤＭシンボルが割り当てられているか、二つのＯＦＤＭシンボルが割り当てられているか、三つのＯＦＤＭシンボルが割り当てられているかを指示する。ＵＥは、ＰＤＣＣＨのフォーマットを決定するためにまずＰＣＦＩＣＨを復号化しうる。それからＵＥは、ＰＤＣＣＨのダウンリンク制御情報（ＤＣＩ）のサーチを試みうる。
【００３４】
特に、ＰＣＦＩＣＨおよびＰＤＣＣＨを受信および復号化するための一つの手順を以下に述べる。ＵＥが、ＰＣＦＩＣＨを受信しうる。ＵＥはＰＣＦＩＣＨを復号化して、ＣＦＩの値を決定しうる。ＣＦＩは、ＰＤＣＣＨのサイズおよびＤＣＩがどのようにＰＤＣＣＨにマッピングされるかを指示しうる。ＵＥは、共通制御情報を決定または識別するためにＰＤＣＣＨの共通サーチスペースをサーチしうる。ＵＥは、そのＵＥに特に対応するＰＤＣＣＨの部分またはＤＣＩを決定または識別するためにＵＥ固有サーチスペースもサーチしうる。
【００３５】
本明細書に開示されるシステムおよび方法は、予想されるＲｅｌｅａｓｅ１１仕様（および場合によってはＲｅｌｅａｓｅ１１以降）に適用されうる、ｅＰＤＣＣＨと呼称されるエンハンスト（または拡張）ＰＤＣＣＨを説明する。ｅＰＤＣＣＨにおいては、Ｒｅｌｅａｓｅ８〜１０仕様と異なり、ＯＦＤＭシンボル全体が制御チャネル情報の専用でなくてよい。エクステンションキャリアとして知られる専用のコンポーネントキャリアが、Ｒｅｌｅａｓｅ１１のＵＥに特に適用されうる。換言すれば、エクステンションキャリアはレガシーＵＥ（例えばＲｅｌｅａｓｅ８〜１０仕様にしたがって動作するＵＥ）と後方互換性がなくてよい。別の構成では、ｅＰＤＣＣＨは、ＰＤＣＣＨの伝送もサポートするコンポーネントキャリアにおいて伝送されうる。
【００３６】
いくつかの構成では、ｅＰＤＣＣＨは、（例えばスロットの）時間ドメインの全てのシンボルに延びればよいが、周波数ドメインの全てのサブキャリアに延びていなくてよい。制御のペイロード、ｅＰＤＣＣＨのサイズ（例えばｅＰＤＣＣＨにより占有されるリソースエレメントの数）に応じて、ｅＰＤＣＣＨに割り当てられるサブキャリアの数は変動しうる。ｅＰＤＣＣＨの復号化を試みる全てのＵＥにとって、ｅＰＤＣＣＨに割り当てられた領域（例えば領域の境界）を知ることが有益であろう。ｅＰＤＣＣＨ領域を知ることにより、ｅＰＤＣＣＨにおけるブラインド復号化の量およびダウンリンク制御情報（ＤＣＩ）の配置を決定しうる。エンハンスト（または拡張）物理制御フォーマット指示チャネル（ｅＰＣＦＩＣＨ）の内容に基づいて、ｅＰＤＣＣＨを決定しうる。ｅＰＣＦＩＣＨの内容を、エンハンスト（または拡張）制御フォーマット指示子（ｅＣＦＩ）と呼称しうる。明確のため、ｅＰＣＦＩＣＨはチャネルであり、ｅＰＣＦＩＣＨを通じて搬送される情報内容をｅＣＦＩと呼称しうる。
【００３７】
一つの隣接した物理ダウンリンクシェアドチャネル（ＰＤＳＣＨ）、またはエンハンスト（または拡張）ＰＤＳＣＨ（ｅＰＤＳＣＨ）が存在するようにｅＰＤＣＣＨが割り当てられる場合には、ＰＤＳＣＨまたはｅＰＤＳＣＨの開始ポイントによりｅＰＤＣＣＨ領域を決定することもできる。しかし、ｅＰＤＣＣＨがＰＤＳＣＨまたはｅＰＤＳＣＨを二つのばらばらのパーティションに分割する場合には、ＰＤＳＣＨまたはｅＰＤＳＣＨの開始ポイントにより（単独では）ｅＰＤＣＣＨ領域を決定することができない。ｅＰＤＳＣＨという用語は、ｅＰＤＣＣＨにリンクされた（例えば関連付けられた）シェアドチャネルをさすために使用されうることに注意しなければならない。したがって、ＰＤＣＣＨの宛先となるまたはＰＤＣＣＨにリンクされたダウンリンクリソース（例えばＰＤＳＣＨ）と、ｅＰＤＣＣＨの宛先となるまたはｅＰＤＣＣＨにリンクされたダウンリンクリソース（例えばｅＰＤＳＣＨまたはＰＤＳＣＨのサブセットであり、本明細書においてｅＰＤＳＣＨとして示すことがある）とを区別することができる。したがって本明細書に開示されるシステムおよび方法は、ｅＰＤＣＣＨリソースを柔軟に参照し、したがって間接的にｅＰＤＳＣＨリソースを参照する利点を提供することができる。例えば本明細書に開示されるシステムおよび方法は、ｅＰＤＣＣＨリソースおよびｅＰＤＳＣＨリソースの柔軟な指示および／または決定を可能にしうる。
【００３８】
ｅＰＤＣＣＨは、ダウンリンク制御情報（ＤＣＩ）を含む（ＤＣＩと呼称しうる）独立したパケット（例えばｅＰＤＣＣＨの他のパケットに一切依存せずに別々に復号化できるパケット）を含む。ｅＰＤＣＣＨは、共通領域とＵＥ固有領域との二つの領域に分割することができる。共通領域は全てのＵＥに関する制御情報を搬送する一方で、ＵＥ固有領域は特定のＵＥに固有の制御情報を搬送する。各ＵＥは、異なるＤＣＩにおいて搬送される関連の制御情報を見つけるために、（共通サーチスペースと呼称される）共通領域および（ＵＥ固有サーチスペースと呼称される）ＵＥ固有領域をサーチしうる。
【００３９】
各ＤＣＩは、ＵＥにアプリオリに知られていない複数のフォーマットを有しうる。したがってＵＥは、許容可能な全てのＤＣＩフォーマット（全てのＤＣＩフォーマットのサブセットであればよい）につき各ＤＣＩの復号化を試みうる。複数のフォーマットパラメータに基づいて受信したＤＣＩを復号化する手順を、ブラインド復号化と呼称しうる。許容可能なＤＣＩフォーマットのセットは、サーチスペース内（例えば共通サーチスペース対ＵＥ固有サーチスペース）のＤＣＩの位置および／またはＤＣＩのサイズの関数でありうる。いくつかのアプローチでは、各ＵＥがサーチしなければならないブラインド復号化候補の数、またはｅＰＤＣＣＨを受信する全ＵＥ間でのサーチのブラインド復号化候補の最大数を識別することにより、ｅＰＤＣＣＨ領域が決定されうる。
【００４０】
したがって本明細書に開示されるシステムおよび方法は、ｅＰＤＣＣＨ領域を識別するためのいくつかのアプローチを提示する。一つのアプローチでは、ｅＰＤＣＣＨの開始（または終了）ポイント（例えばｅＰＤＣＣＨに割り当てられた最初（または最後）のリソースエレメント）および（例えばリソースエレメントの数に関する）ｅＰＤＣＣＨのサイズを取得する（例えば知る）ことにより、ｅＰＤＣＣＨが識別されうる。別のアプローチでは、ｅＰＤＣＣＨの開始（または終了）ポイント（例えばｅＰＤＣＣＨに割り当てられた最初または最後のリソースエレメント）および所与のＵＥがサーチするブラインド復号化候補の数またはｅＰＤＣＣＨを受信する全ＵＥにより行われるサーチのブラインド復号化候補の最大数を取得する（例えば知る）ことにより、ｅＰＤＣＣＨが識別されうる。さらに別のアプローチでは、ｅＰＤＳＣＨが一つの隣接した領域であるケースでは、ｅＰＤＳＣＨに割り当てられたｅＰＤＳＣＨの開始ポイント（または終了ポイント）（例えば最初のリソースエレメントまたは最後のリソースエレメント）を取得する（例えば知る）ことにより、ｅＰＤＣＣＨが識別されうる。代替的アプローチでは、ｅＰＤＣＣＨに静的または半静的領域が割り当てられうる点に注意しなければならない。しかし、ｅＰＤＣＣＨに静的または半静的領域が割り当てられうることは本明細書に開示されるシステムおよび方法の焦点ではなく、完全性のために言及するものである。
【００４１】
ｅＰＤＣＣＨ領域を識別するためのアプローチの各々に関しては、さらに詳しく後述する。ｅＰＤＣＣＨの開始（または終了）ポイント（例えばｅＰＤＣＣＨに割り当てられた最初または最後のリソースエレメント）および（例えばリソースエレメントの数に関する）ｅＰＤＣＣＨのサイズを取得する（例えば知る）ことに基づく一つのアプローチを、以下に加えて詳述する。
【００４２】
このアプローチでは、ｅＰＤＣＣＨ領域を識別するために二つのパラメータが取得されればよい。一方のパラメータは、ｅＰＤＣＣＨの開始（または終了）ポイントである。他方のパラメータは、ｅＰＤＣＣＨのサイズである。これらのパラメータの各々は、静的、半静的または動的に構成されうる。
【００４３】
静的構成では、システム情報のブロードキャストを通じてパラメータが（ｅＮＢから）ＵＥに送信される。半静的構成では、専用のＲＲＣシグナリングを通じてパラメータが（ｅＮＢから）ＵＥに送信される。動的構成では、各ダウンリンクサブフレームの非データチャネルを通じて（例えばＰＣＦＩＣＨまたはｅＰＣＦＩＣＨにおいて）パラメータが（ｅＮＢから）ＵＥに送信される。いくつかの構成では、複数の（非隣接）領域がｅＰＤＣＣＨに割り当てられるケースでは、複数の開始ポイントおよび複数のサイズがｅＮＢによってＵＥにシグナリングされうる。
【００４４】
このアプローチの範囲内では、いくつかのケースのうちの一つ（または複数）が実装されうる。一つのケースでは、開始（または終了）ポイントがシステム情報により静的に構成されうる。加えて、ｅＰＤＣＣＨのサイズが、静的（例えばシステム情報がｅＰＤＣＣＨのサイズの値を搬送する場合）、半静的（例えばＲＲＣシグナリングがｅＰＤＣＣＨのサイズの値をセットする場合）または動的（例えばｅＣＦＩがｅＰＤＣＣＨのサイズの値を搬送する場合）に構成されうる。
【００４５】
別のケースでは、開始（または終了）ポイントがＲＲＣシグナリングにより半静的に構成されうる。加えて、ｅＰＤＣＣＨのサイズが、半静的（例えばＲＲＣシグナリングがｅＰＤＣＣＨのサイズの値をセットする場合）、動的（例えばｅＣＦＩがｅＰＤＣＣＨのサイズの値を搬送する場合）または静的（例えばシステム情報の伝送を通じて）に構成されうる。
【００４６】
別のケースでは、開始（または終了）ポイントおよびｅＰＤＣＣＨのサイズの両方が、動的に構成されうる。このケースでは、ｅＣＦＩが、開始（または終了）ポイントおよびｅＰＤＣＣＨのサイズの両方を含む。
【００４７】
別のケースでは、ｅＰＤＣＣＨのサイズが静的に構成されうる。加えて、開始（または終了）ポイントが、半静的（ＲＲＣシグナリングがｅＰＤＣＣＨの開始（または終了）ポイントの値をセットする場合）、または動的（ｅＣＦＩがｅＰＤＣＣＨの開始（または終了）ポイントの値を搬送する場合）に構成されうる。
【００４８】
いくつかの構成では、ｅＰＤＣＣＨのサイズを決定するために開始ポイントが使用されるのかまたは終了ポイントが使用されるのかが固定され、（シグナリングを必要とせずに）全ＵＥがこれを知っている。あるいは、ｅＰＤＣＣＨのサイズを決定するために開始ポイントが使用されるのかまたは終了ポイントが使用されるのかは（システム情報シグナリングを介して）静的に、または（ＲＲＣシグナリングを介して）半静的にセットされてもよい。しかし、ｅＰＤＣＣＨのサイズを決定するために開始ポイントが使用されるのかまたは終了ポイントが使用されるのかが（システム情報シグナリングを介して）静的に、または（ＲＲＣシグナリングを介して）半静的にセットされることにより余分のオーバーヘッドが生じる可能性があり、明示的シグナリングの利益は、あるとしても限定的であろう。
【００４９】
本明細書に開示されるシステムおよび方法により、ｅＰＤＣＣＨのサイズを指示するいくつかのやり方がある。ｅＰＤＣＣＨのサイズは、いくつかの単位のうちの一つによって表現されうる。一構成では、ｅＰＤＣＣＨのサイズが連続したリソースエレメントで指示されうる。例えばｅＰＤＣＣＨのサイズがｎであると想定すると、ｅＰＤＣＣＨはｎの連続したリソースエレメントを含む。別の構成では、ｅＰＤＣＣＨのサイズがｍの連続したリソースエレメントのセット（例えばｍのグループ）として指示されうる。例えばｅＰＤＣＣＨのサイズがｎであると想定すると、ｅＰＤＣＣＨはｎ＊ｍの連続したリソースエレメントを含む（シンボル＊は乗算を指示する）。
【００５０】
別の構成では、ｅＰＤＣＣＨのサイズが連続したリソースブロックとして指示されうる。例えばｅＰＤＣＣＨのサイズがｎであると想定すると、ｅＰＤＣＣＨはｎの連続したリソースブロックを含む。さらに別の構成では、ｅＰＤＣＣＨのサイズがリソースブロックの分数として指示されうる（例えば１リソースブロックのｐ／ｑ、ｐおよびｑは自然数｛１，２，．．．｝）。例えばｅＰＤＣＣＨのサイズがｎであると想定すると、合計ｎ＊ｐ／ｑのリソースブロックがｅＰＤＣＣＨに割り当てられる。例えばｎ＝５、ｐ＝１、およびｑ＝３は、リソースブロック掛ける５／３のｅＰＤＣＣＨサイズ、すなわち一つの完全なリソースブロックとリソースブロックの２／３を指示する。
【００５１】
いくつかの構成では、ｅＰＤＣＣＨのサイズを記載するために使用される単位は、シグナリングを要せずにアプリオリに固定されうる。あるいは、使用される単位が半静的または静的に構成されてもよい。例えばＲＲＣシグナリングを通じて、ｅＰＤＣＣＨのサイズを決定するために使用される単位の半静的構成を達成しうる。別の例では、（例えばセル内の）全ＵＥにより受信されるシステム情報の伝送を通じて、ｅＰＤＣＣＨのサイズを決定するために使用される単位の静的構成を達成しうる。
【００５２】
本明細書に開示されるシステムおよび方法により、複数の連続したリソースエレメントを割り当てるいくつかのやり方がある。複数の連続したリソースエレメントを割り当てるためのアプローチに関しては、以下の図８と関連してさらに詳述する。特に図８は、九つの連続したリソースエレメントが割り当てられうるいくつかのやり方を示す。
【００５３】
ｅＰＤＣＣＨの開始ポイント（例えばｅＰＤＣＣＨに割り当てられる第一リソースエレメント）および所与のＵＥのブラインド復号化候補の数またはｅＰＤＣＣＨを受信する全ＵＥにより行われるブラインド復号化候補の最大数を取得する（例えば知る）ことに基づくアプローチを、以下により詳細に記載する。このアプローチでは、ｅＰＤＣＣＨ領域を識別するために二つのパラメータが取得される。一方のパラメータはｅＰＤＣＣＨの開始（または終了）ポイントである。他方のパラメータは、ブラインド復号化候補の数である。
【００５４】
サーチのブラインド復号化候補の数（例えばブラインド復号化の候補の数または単に候補の数）は、ＵＥ固有またはセル固有でありうる。ブラインド復号化候補の数がＵＥ固有である場合には、ブラインド復号化候補の数の値はＵＥごとに変動しうる。ブラインド復号化候補の数がセル固有である場合には、ブラインド復号化候補の数の値は（例えばセル内の）全ＵＥにつき同じである。
【００５５】
ブラインド復号化候補の数がセル固有である場合には、値は静的または半静的構成でブラインド復号化候補の最大可能数に基づいて決定されうる。ブラインド復号化候補の数がセル固有である場合には、値は代わりに動的構成で所与のサブフレームにおいてｅＰＤＣＣＨを受信するＵＥ間のブラインド復号化候補の最大数に基づいて決定されうる。
【００５６】
このアプローチの範囲内で、いくつかのケースの一つ（または複数）が実装されうる。一つのケースでは、開始（または終了）ポイントがシステム情報により静的に構成されうる。加えて、ｅＰＤＣＣＨのブラインド復号化候補の数が、静的（例えばシステム情報がｅＰＤＣＣＨのブラインド復号化候補の数の値を搬送する場合）、半静的（例えばＲＲＣシグナリングがｅＰＤＣＣＨのブラインド復号化候補の数の値をセットする場合）、または動的（例えばｅＣＦＩがｅＰＤＣＣＨのブラインド復号化候補の数の値を搬送する場合）に構成されうる。
【００５７】
別のケースでは、開始（または終了）ポイントはＲＲＣシグナリングにより半静的に構成されうる。加えて、ｅＰＤＣＣＨのブラインド復号化候補の数が、半静的（例えばＲＲＣシグナリングがｅＰＤＣＣＨのブラインド復号化候補の数の値をセットする場合）、動的（例えばｅＣＦＩがｅＰＤＣＣＨのブラインド復号化候補の数の値を搬送する場合）または静的（例えばシステム情報の伝送を通じて）に構成されうる。
【００５８】
別のケースでは、開始（または終了）ポイントおよびｅＰＤＣＣＨのブラインド復号化候補の数の両方が、動的に構成されうる。このケースでは、ｅＣＦＩが、開始（または終了）ポイントおよびｅＰＤＣＣＨのサイズの両方を含む。
【００５９】
別のケースでは、ｅＰＤＣＣＨのブラインド復号化候補の数が静的に構成されうる。加えて、開始（または終了）ポイントが、半静的（例えばＲＲＣシグナリングがｅＰＤＣＣＨの開始（または終了）ポイントの値をセットする場合）または動的（例えばｅＣＦＩがｅＰＤＣＣＨの開始（または終了）ポイントの値を搬送する場合）に構成されうる。
【００６０】
ｅＰＤＳＣＨの開始ポイント（または終了ポイント）（例えばｅＰＤＳＣＨに割り当てられた最初のリソースエレメント（または最後のリソースエレメント）でありうる）を取得する（例えば知る）ことに基づく、ｅＰＤＳＣＨが隣接した一つの領域であるアプローチを以下に加えて詳述する。このアプローチでは、ｅＰＤＳＣＨの開始（または終了）ポイントが、静的（例えばシステム情報がｅＰＤＳＣＨの開始（または終了）ポイントを搬送する場合）、半静的（例えばＲＲＣシグナリングを介して）または動的（例えばｅＣＦＩがｅＰＤＳＣＨの開始（または終了）ポイントを決定する場合）にシグナリングされうる。
【００６１】
本明細書に開示されるシステムおよび方法による、ｅＰＣＦＩＣＨへの物理リソース割り当てのためのいくつかのアプローチを以下に記載する。以下に記載するアプローチでは、ｅＰＤＣＣＨのサイズがｎ（上述の単位の一つを有しうる）で示され、ｅＰＤＣＣＨの一単位のリソースエレメントの数がｎ１で示され、一スロットのリソースエレメントの合計数がｎ２で示される。
【００６２】
ｅＰＤＣＣＨのサイズｎは、０〜ｎ３＝ｃｅｉｌｉｎｇ（ｎ２／ｎ１）の間の値を有することができ、ｃｅｉｌｉｎｇ（ａ）はａより大きい最小の整数を返す関数である。ｎを表すためには、最大ｎ４＝Ｌｏｇ２（ｎ３）ビットが必要である。ｒ＝ｎ４／ｎ５の符号化レートが使用されればよく、ｎ５は符号化ビットの数である。ｎ５符号化ビットを使用して、ｎ６ビットの巡回冗長検査（ＣＲＣ：ｃｙｃｌｉｃ  ｒｅｄｕｎｄａｎｃｙ  ｃｈｅｃｋ）符号が生成されうる。ｎ６  ＣＲＣビットは、セル固有のスクランブラによりスクランブルされうる。セル固有のスクランブラは、セルＩＤの関数でありうる。例えば、ページングＲＮＴＩ（Ｐ−ＲＮＴＩ：Ｐａｇｉｎｇ  ＲＮＴＩ）、ランダムアクセスＲＮＴＩ（ＲＡ−ＲＮＴＩ：Ｒａｎｄｏｍ  Ａｃｃｅｓｓ  ＲＮＴＩ）、システム情報ＲＮＴＩ（ＳＩ−ＲＮＴＩ：ｓｙｓｔｅｍ  ｉｎｆｏｒｍａｔｉｏｎ  ＲＮＴＩ）またはグループセルＲＮＴＩ（Ｃ−ＲＮＴＩ：Ｃｅｌｌ  ＲＮＴＩ）等のセル固有の無線ネットワーク臨時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）が、ｅＰＣＦＩＣＨ  ＣＲＣ符号をスクランブルするために使用されうる。ｅＰＣＦＩＣＨで伝送されるビットの合計数は、ｎ７＝ｎ５＋ｎ６でありうる。伝送ビットをシャッフルするためにインターリーバが使用されうる。各ｎ８ビットを使用して一つの変調シンボルが生成され、各変調シンボルが一つのリソースエレメントを占有する場合には、ｅＰＣＦＩＣＨの伝送に合計ｎ９＝ｎ７／ｎ８リソースエレメントが必要でありうる。ｎ４非符号化ビットを符合化するために使用される符号化は、畳み込み符号または単に反復符号（例えば非符号化ビットが複数回繰り返される）であればよい。
【００６３】
ｅＰＣＦＩＣＨの伝送に割り当てられる物理リソースは、スロット内の最初、最後または予め特定されたｎ９リソースエレメントであればよい。ｅＰＣＦＩＣＨの位置は、半静的または静的に構成されうる。ＲＲＣシグナリングを通じて、ｅＰＣＦＩＣＨの位置の半静的構成を達成しうる。（例えばセル内の）全ＵＥにより受信されるシステム情報の伝送を通じて、ｅＰＣＦＩＣＨの位置の静的構成を達成しうる。セル固有の周波数オフセットを使用して、隣接セルのｅＰＣＦＩＣＨの衝突を低減しうる。
【００６４】
本明細書に開示されるシステムおよび方法のいくつかの構成では、ｅＰＣＦＩＣＨ領域のシンボルマッピングを以下のように行いうる。一つのアプローチでは、最初に時間軸に沿ってシンボルをマッピングしうる。別のアプローチでは、最初に周波数軸に沿ってシンボルをマッピングしうる。いずれのアプローチでも、ｅＰＣＦＩＣＨシンボルがｅＰＣＦＩＣＨ領域全体を満たすことができない場合には、残りの満たされていないリソースエレメントを（場合によっては０を表す、ゼロ詰めと呼称されうる）ダミーシンボルで満たしうる。さらなる詳細を以下の図９と関連して述べる。
【００６５】
伝送器および受信器で複数のアンテナが使用され、マルチレイヤ伝送がサポートされる場合には、各レイヤが各自のｅＰＤＣＣＨを有しうる。さらに、異なるレイヤ上のｅＰＤＣＣＨは異なるサイズを有し、リソースグリッド上の異なるリソースを占有しうる。したがっていくつかの構成では、各レイヤが各自のｅＰＣＦＩＣＨを有しうる。他の構成または場合においては、一つのレイヤ（例えば第一レイヤ）上のｅＰＣＦＩＣＨが、全レイヤ上のｅＰＤＣＣＨの割り当てを指示しうる。例えばｅＮＢは、第一レイヤ上の第一ｅＰＣＦＩＣＨにおいて第一レイヤおよび一つ以上の追加のレイヤ上のｅＰＤＣＣＨの割り当てを指示する情報を送信しうる。したがって、いくつかの構成または場合においては、ＵＥは、第一レイヤおよび一つ以上の追加のレイヤ上のｅＰＤＣＣＨの割り当てを決定する際に第一レイヤ上のｅＰＣＦＩＣＨにしたがいうる。いくつかのケースでは、一つの（例えば第一）レイヤ上でのみｅＰＣＦＩＣＨが送信されうる。いくつかの構成では、各レイヤ上のｅＰＣＦＩＣＨは、全ＵＥがそのｅＰＣＦＩＣＨを受信および復号化できるように、プリコーディングされなくてよい。他の構成では、一つ以上のｅＰＣＦＩＣＨがプリコーディングされる場合には、全ての意図された受信者ＵＥに知られているプリコーディングマトリクスが使用されればよい。
【００６６】
（各レイヤの）各サブフレームには二つのスロットがあり、第一スロットおよび第二スロットと呼称されうる。各スロットは、各自のｅＰＤＣＣＨを有しうる。さらに、第一スロット上のｅＰＤＣＣＨは、第二スロット上のｅＰＤＣＣＨと異なるサイズを有しうる。したがって各スロットは、そのスロット上のｅＰＤＣＣＨのサイズを指示するために使用される各自のｅＰＣＦＩＣＨを有しうる。（同じレイヤ上の）サブフレームの第二スロットがｅＰＣＦＩＣＨを搬送しない場合には、（第二スロット上のｅＰＤＣＣＨのサイズに関して）第一スロットのｅＰＣＦＩＣＨのパラメータが第二スロットに想定されうる。各スロットは、各自のセル固有周波数オフセットを有しうる。
【００６７】
各スロット上で異なるｅＰＣＦＩＣＨを有することにより、リソース使用の効率が高まりうる。また、各レイヤ上で異なるｅＰＣＦＩＣＨを使用することにより、各レイヤ上の異なるサイズのｅＰＤＣＣＨが可能になり、ＵＥのグループ分けのため、より柔軟なスケジューリングを提供するため、およびより効率的なリソース使用のために使用できる。
【００６８】
明確のため、以下に述べるいくつかの事項に注意しなければならない。本明細書に開示されるシステムおよび方法は、リソースグリッド上のリソースエレメントを識別することを含む「リソース割り当て」を可能にしうる。このリソース割り当ては、時間、周波数および／または空間物理リソースをビットストリームの伝送のために割り当てることに関わるビットストリームを生成した後に（ｅＮＢで）行われうる。
【００６９】
本明細書に開示されるシステムおよび方法のいくつかの構成は、リソース割り当てへの特定のアプローチを可能にしうる。より具体的には、いくつかの構成は、ｅＰＣＦＩＣＨのための動的リソース割り当てを可能にする。３ＧＰＰ仕様における「動的」割り当ては、物理制御チャネルを介して行うことができる点に注意しなければならない。一構成は、ＰＤＣＣＨを介した動的リソース割り当てを可能にする。ＰＤＣＣＨは、Ｒｅｌｅａｓｅ８仕様で提唱されたレガシーソリューションでありうる点に注意しなければならない。したがって、いくつかの構成または場合においては、レガシーＵＥをサポートするために（後方互換性のために）ＰＤＣＣＨが伝送されうる。一構成では、Ｒｅｌｅａｓｅ１１のＵＥが、ＰＤＣＣＨからｅＰＣＦＩＣＨの位置（割り当てられたリソース）を決定しうる。
【００７０】
ｅＰＤＣＣＨは、ＰＤＣＣＨと同様に、二つのセクションに分割されうる。第一領域はダウンリンク制御情報の伝送に割り当てられるリソースを含めばよく、全ＵＥ（例えばセル内の）の間で共有される「共通制御情報」の専用であればよい。第一領域は、全ＵＥにより受信される制御情報を含む。第二領域は、ＵＥ固有領域であればよい。ｅＰＤＣＣＨ共通制御シグナリングによりｅＰＣＦＩＣＨのための動的リソース割り当てを行いうる構成では、ｅＰＤＣＣＨの共通制御に割り当てられた領域を全ＵＥが知っており、全ＵＥが同領域にアクセスして共通制御情報を取得しうることが想定されうる。このケースでは、一つの情報がｅＰＣＦＩＣＨに割り当てられたリソースを指示しうる。
【００７１】
本明細書に記載されるいくつかの構成は、ｅＰＣＦＩＣＨに割り当てられた物理リソースについてＵＥに指示することを可能にしうる。構成のいくつかは、静的および黙示的でありうる（例えばｅＰＣＦＩＣＨのためのＫリソースエレメントの静的割り当て）。他の構成は、様々な遅延許容度で明示的指示を提供する。半静的方法は変更または更新に比較的長い時間を要する一方で、動的割り当ては比較的高速でありうる。（例えば半静的および動的ケースでは）ｅＮＢおよびスケジューラで実際のリソース割り当てが行われ、割り当てがＵＥに伝えられ（例えば指示され）ればよい。割り当てられたリソースをＵＥに知らせる行為を、リソース割り当てとも呼称しうる。
【００７２】
ｅＰＣＦＩＣＨは、ｅＰＤＣＣＨとは別々のチャネルと考えられる点に注意しなければならない。ＵＥ固有サーチスペースは特定のＵＥのみに知られており、全ＵＥには知られていないことにも注意しなければならない。
【００７３】
いくつかの構成では、ＵＥは最初にｅＰＣＦＩＣＨを復元しうる。ｅＰＣＦＩＣＨは、ｅＣＦＩを搬送しうる。ｅＣＦＩ情報パケットは、共通サーチスペースおよび場合によってはＵＥ固有サーチスペースを指示しうる。
【００７４】
いくつかの構成では、ＵＥは、サーチスペースからｅＰＣＦＩＣＨを復元しなくてよい。一方、他の構成では、（例えば共通サーチスペースに割り当てられたリソースが固定またはアプリオリに知られていると想定して）共通サーチスペースから、ｅＰＣＦＩＣＨに割り当てられたリソースが復元されてもよい。
【００７５】
次に図面を参照して様々な構成を説明するが、図面においては同様の参照番号によって機能的に同様の要素を指示しうる。本明細書の図面において一般的に説明および例証されるシステムおよび方法は、多種多様な構成において設定および設計することができる。したがって、図面に示される以下のいくつかの構成の詳細な説明は、請求される範囲を制限することを意図せず、本発明のシステムおよび方法の代表例にすぎない。
【００７６】
図１は、エンハンスト物理制御フォーマット指示チャネル（ｅＰＣＦＩＣＨ）のシグナリングのためのシステムおよび方法を実装しうる、イボルブドノードＢ（ｅＮＢ）１０２および一つ以上のユーザ機器（ＵＥ）１２６の一構成を示したブロックダイヤグラムである。ｅＮＢ１０２は、制御情報生成モジュール１０４、一つ以上のスクランブルモジュール１１０、一つ以上の変調マッパ１１２、一つ以上のインターリーバ１１４、レイヤマッパ１１６、プリコーディングモジュール１１８、一つ以上のリソースエレメントマッパ１２０、一つ以上の直交周波数分割多重（ＯＦＤＭ：Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）信号生成モジュール１２２および一つ以上のアンテナ１２４の一つ以上を含みうる。
【００７７】
ｅＮＢ１０２の中に含まれるものとして示される要素の一つ以上は、ハードウェア、ソフトウェアまたはハードウェアとソフトウェアの組み合わせで実装されうることに注意しなければならない。例えば制御情報生成モジュール１０４は、ハードウェア、ソフトウェアまたはハードウェアとソフトウェアの組み合わせで実装されうる。ｅＮＢ１０２の中に含まれるものとして示される要素の一つ以上が、オプションであってもよいことにも注意しなければならない。例えば一つ以上のスクランブルモジュール１１０、一つ以上のインターリーバ１１４、レイヤマッパ１１６および／またはプリコーディングモジュール１１８は、ｅＮＢ１０２の実装によってはオプションであってよい。ｅＮＢ１０２が、制御情報生成モジュール１０４と一つ以上のアンテナ１２４との間に一つ以上の信号経路を含みうることにも注意しなければならない。
【００７８】
制御情報生成モジュール１０４は、一つ以上のＵＥ１２６に送信するための制御情報を生成しうる。一般に、制御情報を使用して、ｅＮＢ１０２と一つ以上のＵＥ１２６との間の通信を可能にしうる。例えば制御情報は、ｅＮＢ１０２と一つ以上のＵＥ１２６との間の通信を可能にするために、スケジューリング、（通信）リソース割り当てなどを指示しうる。
【００７９】
制御情報生成モジュール１０４は、ｅＰＤＣＣＨに割り当てられたリソース（例えばｅＰＤＣＣＨ領域）についての制御情報を生成しうる。この（ｅＰＤＣＣＨ領域についての）制御情報は、エンハンスト制御フォーマット指示子（ｅＣＦＩ）ビット１０６ａの一つ以上のセットを含みうる。ｅＣＦＩビット１０６ａは、一つ以上のｅＣＦＩを生成するために使用されるビットでありうる。例えばｅＣＦＩは、ｅＰＤＣＣＨの位置またはｅＰＤＣＣＨ領域を指示する（例えばスクランブル、インターリーブ、変調、プリコーディング、グループ化および／または別途処理された）ｅＣＦＩビット１０６ａに基づく情報を含みうる。ｅＣＦＩは、ｅＰＣＦＩＣＨと呼称されるチャネルにより時間−周波数グリッドに割り当てられた物理リソースを使用して搬送されるパケットの名前でありうる。時間−周波数またはリソースグリッドに関しては、以下で図４と関連してさらに詳しく述べる。一つ以上のｅＣＦＩは、一つ以上のｅＰＤＣＣＨ領域を部分的にまたは完全に指示しうる。
【００８０】
制御情報生成モジュール１０４は、一つ以上のタイプのシグナリング（例えばシステム情報または静的シグナリング、ＲＲＣまたは半静的シグナリングなど）を介して送信されうる他の制御情報を生成しうることに注意しなければならない。この、他の制御情報は、いくつかのケースでは、一つ以上のｅＰＤＣＣＨ領域を部分的に指示しうる。いくつかの構成では、例えば、システム情報またはＲＲＣシグナリングを介して送信される制御情報が（例えば動的シグナリングを介して送信される）一つ以上のｅＣＦＩと組み合わせて使用されて、一つ以上のｅＰＤＣＣＨ領域を指示しうる。
【００８１】
制御情報生成モジュール１０４は、ダウンリンク制御情報（ＤＣＩ）ビット１０８ａを追加的または代替的に生成しうる。ＤＣＩビット１０８ａは、一つ以上のＤＣＩを生成するために使用されるビットでありうる。例えば、ＤＣＩは、（例えばスクランブル、インターリーブ、変調、プリコーディング、グループ化および／または別途処理された）ＤＣＩビット１０８ａに基づく情報を含みうる。各ＤＣＩは、ｅＰＤＣＣＨと呼称されるチャネルにより、ｅＣＦＩによって指示または識別されうるｅＰＤＣＣＨの伝送に割り当てられた物理リソースを使用して、搬送される。
【００８２】
各ｅＣＦＩは、１〜数ｎの間の値を有しうる。実装に応じて、ｎの単位（例えば単位または次元）は上記の通りリソースブロック、リソースエレメント、（ｍの）連続したリソースエレメントのセット、またはリソースブロックの分数に基づきうる。いくつかの実装では、ｎの単位は半静的態様で変動しうる。例えばｅＮＢ１０２は、一つ以上のＵＥ１２６にｎの単位を特定する無線リソース制御（ＲＲＣ）シグナリングを生成しうる。
【００８３】
制御情報生成モジュール１０４により生成される制御情報は、ｅＣＦＩビット１０６ａを含みうる。ｅＣＦＩビット１０６ａに基づく一つ以上のｅＣＦＩが、一つ以上のｅＰＣＦＩＣＨに対応しうる。例えば、ｅＮＢ１０２は、一つ以上のｅＣＦＩを一つ以上の対応するｅＰＣＦＩＣＨにより送信しうる。追加的または代替的に、制御情報はＤＣＩビット１０８ａを含みうる。制御情報は、一つ以上のスクランブルモジュールに任意に提供されればよい。一つ以上のスクランブルモジュール１１０により、制御情報が任意にスクランブルされればよい。一つ以上のスクランブルモジュール１１０は、セル固有の制御情報（例えばビットのセット）をスクランブルしうる。例えば、一つ以上のスクランブルモジュール１１０は、特定のセルに固有のスクランブルシーケンスを用いて制御情報をスクランブルしうる。
【００８４】
（任意にスクランブルされた）制御情報は、一つ以上のインターリーバ１１４に任意に提供されればよい。一つ以上のインターリーバ１１４は、制御情報（例えばビットまたはシンボルのセット）を任意にシャッフルしうる。一つ以上のインターリーバ１１４は、図１に示されるのとは異なる順序で信号経路に置かれてもよいことに注意しなければならない。
【００８５】
（任意にインターリーブおよび／またはスクランブルされた）制御情報は、一つ以上の変調マッパ１１２に提供されればよい。一つ以上の変調マッパ１１２は、制御情報を特定の変調スキーム（例えば直角位相振幅変調（ＱＡＭ）、６４−ＱＡＭ、２値位相シフトキーイング（ＢＰＳＫ）、４値位相シフトキーイング（ＱＰＳＫ）など）に基づいてコンステレーション点にマッピングしうる。
【００８６】
（変調された）制御情報（例えばシンボル）は、レイヤマッパ１１６に任意に提供されればよい。レイヤマッパ１１６は、制御情報を（例えば一つ以上の空間ストリームでの伝送のために）一つ以上のレイヤに任意にマッピングしうる。複数のアンテナ１２４のいくつかの実装では、各レイヤが別々のｅＰＣＦＩＣＨを有しうることに注意しなければならない。例えばレイヤマッパ１１６は、別々のｅＰＣＦＩＣＨに対応する制御情報を別々のレイヤにマッピングしうる。
【００８７】
（任意にレイヤマッピングされた）制御情報は、プリコーディングモジュール１１８に任意に提供されればよい。プリコーディングモジュール１１８は、制御情報を任意にプリコーディングしうる。ｅＰＣＦＩＣＨ制御情報（例えばｅＰＣＦＩＣＨに対応する制御情報）がプリコーディングされる実装では、例えばプリコーディングモジュール１１８が、ＵＥ１２６のセット（例えば全ての意図された受信者ＵＥ１２６）に共通のプリコーディングマトリクスを用いてｅＰＣＦＩＣＨ制御情報をプリコーディングしうる。他の実装では、ｅＰＣＦＩＣＨ制御情報はプリコーディングされなくてよい。「セット」という用語は、本明細書においては特定の実体の一つ以上を示すために使用されうることに注意しなければならない。例えば、ＵＥのセットには一つ以上のＵＥを含むことができ、リソースエレメントのセットには一つ以上のリソースエレメントを含むことができる、などである。
【００８８】
（任意にプリコーディングされた）制御情報は、一つ以上のリソースエレメントマッパ１２０に提供されればよい。リソースエレメントマッパ１２０は、制御情報を一つ以上のリソースエレメントにマッピングしうる。リソースエレメントは、情報を搬送（例えば送信および／または受信）できる時間および周波数リソースの量でありうる。例えば、一つのリソースエレメントは、特定量の時間にわたるＯＦＤＭシンボルにおける特定のサブキャリアとして定義することができる。リソースエレメントに関しては以下に詳しく述べる。
【００８９】
いくつかの構成では、各リソースエレメントが一つの変調シンボルを搬送しうる。したがって、リソースエレメントにおいて搬送されるビットの数は変動しうる。例えば、各ＢＰＳＫシンボルは一ビットの情報を搬送する。したがって、ＢＰＳＫシンボルを搬送する各リソースエレメントは一ビットを搬送する。各ＱＰＳＫシンボルは二ビットの情報を搬送する。したがって、ＱＰＳＫシンボルを搬送するリソースエレメントは二ビットの情報を搬送する。同様に、１６−ＱＡＭシンボルを搬送するリソースエレメントは四ビットの情報を搬送し、６４−ＱＡＭシンボルを搬送するリソースエレメントは六ビットの情報を搬送する。
【００９０】
複数のリソースエレメントがリソースブロックを構成しうる。ある数のリソースエレメント（および例えばある数のリソースブロック）がスロットを構成しうる。スロットは、時間の量によって定義することができる。例えば、一スロットは０．５ミリ秒（ｍｓ）を占有しうる。二スロットが、サブフレームを構成しうる。ある数（例えば１０）のサブフレームが、一ラジオフレームを形成しうる。
【００９１】
一つ以上のリソースエレメントマッパ１２０は、ｅＰＣＦＩＣＨ制御情報をスロット内のリソースエレメントにマッピングしうる。いくつかの場合には、各スロットが別々のｅＰＣＦＩＣＨを含みうる。しかし、他の場合には、全てのスロットがｅＰＣＦＩＣＨを含まなくてもよい。いくつかの実装では、ｅＰＣＦＩＣＨがサブフレームの第一スロットに含まれるが同サブフレームの第二スロットには含まれないとき、この含まれないことは、第一スロットのｅＰＣＦＩＣＨにより与えられるパラメータ（例えばｅＣＦＩ）が、第二スロットにも当てはまることを示唆しうる。いくつかの実装では、異なるスロットの各ｅＰＣＦＩＣＨは、別々の（例えば異なる）ランダム周波数オフセットを有しうる。
【００９２】
一つ以上のリソースエレメントマッパ１２０は、ｅＰＣＦＩＣＨに対応する制御情報（例えば一つ以上のｅＣＦＩ）をスロット内のリソースエレメントのセットにロードしうる。リソースエレメントのセットのいくつかの例には、スロットの始めのある数のＫリソースエレメント（例えば最初のＫリソースエレメント）、スロットの終わりのある数のＫリソースエレメント（例えば最後のＫリソースエレメント）、スロット内の動的セル固有セットのリソースエレメント、スロット内の静的セル固有セットのリソースエレメントおよびスロット内の半静的セル固有セットのリソースエレメントを含みうる。
【００９３】
より一般的には、ｅＮＢ１０２により生成されたビットが、スクランブルおよび／またはインターリーブされればよい。ビットは任意のスクランブルおよび／またはインターリーブの後に、変調シンボルにマッピングされればよい。それから各シンボルが、リソースエレメントにロードされればよい。
【００９４】
いくつかの実装では、ｅＰＣＦＩＣＨに対応する制御情報（例えばシンボルのセット）が初めにスロット内の時間リソースにわたり所与のサブキャリアのリソースエレメント上にロードされてから、周波数リソースにわたりロードされればよい。より具体的には、ｅＰＣＦＩＣＨに対応するシンボルのセットが、特定のサブキャリア上の時間にわたるリソースエレメントに、そのサブキャリア上の最後のリソースエレメントに達する場合には達するまでロードされればよい。ｅＰＣＦＩＣＨに対応するシンボルがさらに残る場合には、残ったシンボルは別のサブキャリア上の時間ドメインにわたりロードされていけばよい。
【００９５】
（リソースにマッピングされた）制御情報は、一つ以上のＯＦＤＭ信号生成器１２２に提供されればよい。一つ以上のＯＦＤＭ信号生成器１２２は、伝送のために（リソースにマッピングされた）制御情報に基づいてＯＦＤＭ信号を生成しうる。一つ以上のＯＦＤＭ信号生成器１２２により生成されたＯＦＤＭ信号は、一つ以上のＵＥ１２６への伝送のために一つ以上のアンテナ１２４に提供されればよい。したがってこれに応じてｅＮＢ１０２が、ｅＰＣＦＩＣＨ上で制御情報（例えば一つ以上のｅＣＦＩ）を送信しうる。例えば、ｅＮＢ１０２は、サブフレームのスロットにおいてｅＰＣＦＩＣＨ制御情報を送信しうる。
【００９６】
いくつかの実装では、ｅＮＢ１０２は、あるタイプのシグナリングを使用してｅＰＣＦＩＣＨ制御情報のためのリソースエレメントを指示する（例えば割り当てる）ことができる。一例では、ｅＮＢ１０２は、システム情報信号を送信することにより、ｅＰＣＦＩＣＨの位置（例えばｅＰＣＦＩＣＨ領域）を静的に指示しうる。別の例では、ｅＮＢ１０２は、ＲＲＣ信号を送信することにより、ｅＰＣＦＩＣＨの位置（例えばｅＰＣＦＩＣＨ領域）を半静的または半動的に指示しうる。さらに別の例では、ｅＮＢ１０２は、ＰＤＣＣＨまたはエンハンストＰＤＣＣＨ（ｅＰＤＣＣＨ）共通制御シグナリングを送信することにより、ｅＰＣＦＩＣＨの位置（例えばｅＰＣＦＩＣＨ領域）を動的または半動的に指示しうる。
【００９７】
いくつかの実装では、ｅＰＣＦＩＣＨ制御情報は、共通サーチスペースに配置されてもよい。例えば、ｅＰＣＦＩＣＨ制御情報は、共通サーチスペースの最初のＤＣＩであればよい。このような実装では、ｅＰＣＦＩＣＨ制御情報を収容するために新たなＤＣＩが定義されてもよい。
【００９８】
一つ以上のＵＥ１２６は、ＵＥ動作モジュール１３８、一つ以上のデスクランブラ１３６、一つ以上の復調器１３４、一つ以上のデインターリーバ１３２、受信信号検出モジュール１３０および一つ以上のアンテナ１２８の一つ以上を含みうる。ＵＥ１２６に含まれるものとして示される要素の一つ以上は、ハードウェア、ソフトウェアまたはハードウェアとソフトウェアの組み合わせで実装されうることに注意しなければならない。例えば、ＵＥ動作モジュール１３８は、ハードウェア、ソフトウェアまたはハードウェアとソフトウェアの組み合わせで実装されうる。ＵＥ１２６に含まれるものとして示される要素の一つ以上が、オプションであってもよいことにも注意しなければならない。例えば、一つ以上のデスクランブラ１３６および一つ以上のデインターリーバ１３２は、ＵＥ１２６の実装によってはオプションであってよい。ＵＥ１２６が、一つ以上のアンテナ１２８とＵＥ動作モジュール１３８との間に一つ以上の信号経路を含みうることにも注意しなければならない。
【００９９】
受信信号検出モジュール１３０は、一つ以上のアンテナ１２８を利用して、ｅＮＢ１０２から信号を受信しうる。例えば、受信信号検出モジュール１３０は、ｅＮＢ１０２から送信されたＯＦＤＭ信号を受信しうる。
【０１００】
受信された信号は、一つ以上の復調器１３４に提供されればよい。一つ以上の復調器１３４は、信号を復調してビットを生産しうる。受信された信号は、一つ以上のデインターリーバ１３２に任意に提供されればよい。一つ以上のデインターリーバ１３２は、ビットを任意にデインターリーブ（例えばアンシャッフル）しうる。ビットは、一つ以上のデスクランブラ１３６に任意に提供されればよい。一つ以上のデスクランブラ１３６は、ビットを任意にデスクランブルしうる。
【０１０１】
（任意にデインターリーブおよび／またはデスクランブルされた）ビットが、ＵＥ動作モジュール１３８に提供されればよい。ＵＥ動作モジュール１３８は、一つ以上のｅＰＣＦＩＣＨに対応する（例えばｅＮＢ１０２により生成および送信されたｅＣＦＩに基づく）ｅＣＦＩビット１０６ｂの一つ以上のセットを取得しうる。
【０１０２】
ｅＰＣＦＩＣＨは、スロット内のリソースエレメントのセットを占有しうる。リソースエレメントのセットのいくつかの例には、スロットの始めのある数のＫリソースエレメント（例えば最初のＫリソースエレメント）、スロットの終わりのある数のＫリソースエレメント（例えば最後のＫリソースエレメント）、スロット内の動的セル固有セットのリソースエレメント、スロット内の静的セル固有セットのリソースエレメントおよびスロット内の半静的セル固有セットのリソースエレメントを含みうる。例えば、これらの位置の一つから、ｅＰＣＦＩＣＨに対応する制御情報（例えば一つ以上のｅＣＦＩ）が取得されればよい。いくつかの実装では、ｅＰＣＦＩＣＨに対応する制御情報は、初めに時間リソースにわたり、それからスロットの周波数リソースにわたり配置されればよい。
【０１０３】
いくつかの実装では、ＵＥ１２６は、あるタイプのシグナリングに基づいて、ｅＰＣＦＩＣＨに対応するリソースエレメントの位置（例えばｅＰＣＦＩＣＨ領域）を決定しうる。一例では、ＵＥ１２６は、ｅＮＢ１０２から受信するシステム情報信号に基づいてｅＰＣＦＩＣＨ領域を決定しうる。別の例では、ＵＥ１２６は、ｅＮＢ１０２から受信するＲＲＣ信号に基づいてｅＰＣＦＩＣＨ領域を決定しうる。さらに別の例では、ＵＥ１２６は、ｅＮＢ１０２から受信するＰＤＣＣＨまたはｅＰＤＣＣＨ共通制御シグナリングに基づいてｅＰＣＦＩＣＨ領域を決定しうる。
【０１０４】
いくつかの実装では、ｅＰＣＦＩＣＨに対応する情報は共通サーチスペースに配置されてもよい。例えば、ｅＰＣＦＩＣＨ制御情報は共通サーチスペースの最初のＤＣＩであればよい。このような実装では、ｅＰＣＦＩＣＨを収容するために新たなＤＣＩが定義されてもよい。
【０１０５】
ＵＥ１２６により受信される一つ以上のスロットは、別々のｅＰＣＦＩＣＨを含みうる。いくつかのケースでは、各ｅＰＣＦＩＣＨが、別々の（例えば異なる）ランダムな周波数オフセットを有しうる。サブフレームの第二スロットにｅＰＣＦＩＣＨがない場合には、ＵＥ１２６は、第一スロットのｅＰＣＦＩＣＨのパラメータ（例えばｅＣＦＩ）がサブフレームの第二スロットに当てはまると想定しうる。
【０１０６】
ＵＥ１２６は、別々のレイヤ（例えば空間ストリーム）上の別々のｅＰＣＦＩＣＨを復元しうることに注意しなければならない。ｅＰＣＦＩＣＨに対応する制御情報は、プリコーディングされていなくてよく、またはＵＥ１２６のセット（例えば全ての意図された受信者ＵＥ１２６）に共通のプリコーディングマトリクスを用いてプリコーディングされていればよい。
【０１０７】
各ｅＰＣＦＩＣＨが一つ以上のｅＣＦＩを搬送しうる。ｅＣＦＩは、１〜数ｎの間の値を有しうる。実装に応じて、ｎの単位（例えば単位または次元）は、上述のようにリソースブロック、リソースエレメント、（ｍの）連続したリソースエレメントのセットまたはリソースブロックの分数に基づきうる。いくつかの実装では、ｎの単位は半静的態様で変動しうる。例えば、ＵＥ１２６は、ｅＮＢ１０２からｎの単位を特定する無線リソース制御（ＲＲＣ）シグナリングを受信しうる。
【０１０８】
いくつかの実装では、ＵＥ動作モジュール１３８は、一つ以上のｅＣＦＩに基づいて一つ以上のｅＰＤＣＣＨ領域を決定しうる。例えば、ＵＥ動作モジュール１３８は、上述のアプローチの一つ以上にしたがって一つ以上のｅＣＦＩに基づいてｅＰＤＣＣＨ領域を決定しうる。ＵＥ１２６は、一つ以上のｅＰＤＣＣＨ領域に含まれる（例えばｅＮＢ１０２により生成および送信された一つ以上のＤＣＩに基づく）ＤＣＩビット１０８ｂの一つ以上のセットを復元するために、一つ以上のｅＰＤＣＣＨ領域を決定しうる。
【０１０９】
図２は、制御フォーマットを指示する方法２００の一構成を示した流れ図である。例えば、図２は、ｅＮＢ１０２によるエンハンスト制御フォーマット指示子（ｅＣＦＩ）のシグナリングを示す。ｅＮＢ１０２は、第一ｅＰＣＦＩＣＨに対応する第一ｅＣＦＩをステップ２０２で生成しうる。ステップ２０２で生成された第一ｅＣＦＩは、少なくとも部分的に第一ｅＰＤＣＣＨ領域を指示しうる。例えば、第一ｅＣＦＩは、独立してｅＰＤＣＣＨ領域を指示しうる。あるいは第一ｅＣＦＩは、以下のアプローチで説明されるように、システム情報シグナリングまたはＲＲＣシグナリング等の別の種類のシグナリングを介して送信される別のパラメータとの組み合わせでｅＰＤＣＣＨ領域を指示しうる。
【０１１０】
ｅＮＢ１０２は、第一ｅＣＦＩを第一スロットの第一セットのリソースエレメントにロード（ステップ２０４）しうる。第一ｅＣＦＩは、初めに第一スロットの時間リソースにわたり、それから周波数リソースにわたり、ロードされればよい。例えば、ｅＮＢ１０２は、第一ｅＰＣＦＩＣＨに対応する第一ｅＣＦＩを第一セットのリソースエレメントにマッピングすればよい。第一セットのリソースエレメントのいくつかの例には、スロットの始めのある数のＫリソースエレメント（例えば最初のＫリソースエレメント）、スロットの終わりのある数のＫリソースエレメント（例えば最後のＫリソースエレメント）、スロット内の動的セル固有セットのリソースエレメント、スロット内の静的セル固有セットのリソースエレメントおよびスロット内の半静的セル固有セットのリソースエレメントを含むことができる。
【０１１１】
ｅＮＢ１０２は、第一ｅＣＦＩを第一サブフレームの第一スロットにおいて送信（ステップ２０６）しうる。例えば、ｅＮＢ１０２は第一ｅＣＦＩに基づいてＯＦＤＭ信号を生成し、ＯＦＤＭ信号を送信（ステップ２０６）しうる。上で言及したように、第一ｅＰＣＦＩＣＨに対応する第一ｅＣＦＩは、上述のアプローチの一つ以上にしたがって少なくとも部分的に第一ｅＰＤＣＣＨ領域（例えばｅＰＤＣＣＨの位置および／または次元）を指示しうる。
【０１１２】
明確のため、以下にいくつかのポイントを挙げる。ｅＰＣＦＩＣＨは、チャネルである。時間−周波数グリッドの一つ以上のリソースエレメントが、ｅＰＣＦＩＣＨの伝送に割り当てられうる。ｅＰＣＦＩＣＨの内容を、一つ以上のｅＣＦＩと呼称しうる。
【０１１３】
ｅＮＢ１０２は、ｅＰＤＣＣＨに割り当てられたリソースについての情報を搬送するビットストリームを生成する。ｅＮＢ１０２により生成されたビットは、ｅＰＣＦＩＣＨを介して伝送されるビットと、他の手順（例えば他のタイプのシグナリング）により伝送されるビットとに分割されうる。ｅＰＣＦＩＣＨを介して伝送されることとなるビットは、一つ以上のｅＣＦＩにマッピングされればよい。各ｅＣＦＩが、ｅＰＣＦＩＣＨにより送信、搬送、および受信されればよい。ｅＰＣＦＩＣＨに対応する制御情報は、ｅＰＣＦＩＣＨの伝送に割り当てられた対応するリソースにマッピングされる。
【０１１４】
したがってｅＮＢ１０２がビットストリームを生成し、ビットストリームが分割されうる。ビットストリームの一部はｅＣＦＩにロードされ、ｅＰＣＦＩＣＨにより搬送されればよい。加えて、ビットストリームの他の部分が、他のタイプのシグナリング（例えば静的、半静的シグナリングなど）に基づいてシグナリングされればよい。リソース（例えばリソースエレメント）がｅＰＣＦＩＣＨに割り当てられればよい。本明細書に開示されるシステムおよび方法は、リソースがどのようにｅＰＣＦＩＣＨに割り当てられるかを一部において説明する。
【０１１５】
いくつかの実装では、ｅＮＢ１０２は、一つ以上のｅＣＦＩに対応するビット（例えばｅＣＦＩビット１０６ａ）を任意にインターリーブしうる。追加的または代替的に、ｅＮＢ１０２は、一つ以上のｅＣＦＩに対応するビット（例えばｅＣＦＩビット１０６ａ）をセル固有のスクランブルシーケンスにより任意にスクランブルしうる。
【０１１６】
いくつかの実装では、ｅＮＢ１０２は、ｅＰＣＦＩＣＨ領域を指示する信号も送信しうる。この信号の例には、（静的割り当てのための）システム情報信号、（半静的または半動的割り当てのための）ＲＲＣ信号、およびＰＤＣＣＨまたはｅＰＤＣＣＨ共通制御シグナリングが含まれる。いくつかの実装では、第一セットのリソースエレメントは、ｅＮＢ１０２が第一スロットの共通サーチスペースにロード（ステップ２０４）する第一ＤＣＩであればよい。
【０１１７】
いくつかの実装では、ｅＮＢ１０２は、第二ｅＰＣＦＩＣＨに対応する第二ｅＣＦＩを生成しうる。ｅＮＢ１０２は、第二ｅＣＦＩを第一サブフレームの第二スロットの第二セットのリソースエレメントにロードしうる。ｅＮＢ１０２が第二ｅＰＣＦＩＣＨに対応する第二ｅＣＦＩを第二スロットにロードしないケースでは、このロードしないことによって、第一スロットの第一ｅＣＦＩ（例えば一つ以上のｅＣＦＩ）のパラメータを第二スロットに適用すべきと指示することができる。加えて、本明細書に開示のシステムおよび方法にしたがって追加のスロットのためのビットのセットが生成されればよい。
【０１１８】
いくつかの実装では、ｅＮＢ１０２は、第一スロットの第一セットのリソースエレメントにランダムな周波数オフセットを適用しうる。第二セットのリソースエレメント（例えば第二ｅＰＣＦＩＣＨ）が第二スロットにロードされるケースでは、ｅＮＢ１０２は第二スロットの第二セットのリソースエレメントに適用されるランダム周波数オフセットとは別々の（例えば同じまたは異なる）ランダム周波数オフセットを第一セットのリソースエレメントに適用しうる。いくつかの実装では、ｅＮＢ１０２は、（セル固有のパラメータである）ランダム周波数オフセットをシグナリングしうる。例えば、ｅＮＢ１０２は、ランダム周波数オフセットを指示するＲＲＣ信号を送信しうる。
【０１１９】
いくつかの実装では、ｅＮＢ１０２は、第一ｅＰＣＦＩＣＨを第一レイヤ（例えば第一スロット）のリソースエレメントに、第二ｅＰＣＦＩＣＨを第二レイヤ（例えば第一レイヤの第一スロットに対応しうる第二レイヤの第一スロット）のリソースエレメントにマッピングしうる。第一ｅＰＣＦＩＣＨは、プリコーディングされなくてよく、またはＵＥ１２６のセットに共通のプリコーディングマトリクスに基づいてプリコーディングされればよい。
【０１２０】
第一ｅＰＣＦＩＣＨは、１〜数ｎの間の値を有する第一ｅＣＦＩを含みうる。数の単位は、リソースブロック、リソースエレメント、ｘの連続したリソースエレメントのセットおよびリソースブロックの分数に基づいて定義されうる。ｅＮＢ１０２は、数ｎの単位の定義に基づいて第一ｅＣＦＩをステップ２０２で生成しうる。いくつかの実装では、数ｎの単位は（例えば半静的態様で）変動しうる。例えば、ｅＮＢ１０２は、ＲＲＣシグナリングを通じて数ｎの単位をシグナリングしうる。
【０１２１】
ｅＰＤＣＣＨを一つ以上のＵＥに指示するために、ｅＮＢ１０２によりいくつかのアプローチの一つが適用されればよい。これらのアプローチおよびアプローチの範囲内のケースに関する詳細は上述しているが、以下に概説する。第一のアプローチでは、ｅＮＢ１０２は二つのパラメータ、すなわちｅＰＤＣＣＨの開始または終了ポイントとｅＰＤＣＣＨのサイズとをシグナリングしうる。ｅＮＢ１０２は、これらの二つのパラメータの各々を、システム情報シグナリング（例えば静的構成）、ＲＲＣシグナリング（例えば半静的構成）またはステップ２０２で生成される一つ以上のｅＣＦＩを通じて（例えば動的に）シグナリングしうる。
【０１２２】
第一のアプローチの第一のケースでは、ｅＮＢ１０２は、システム情報シグナリングを送信することによりｅＰＤＣＣＨの開始または終了ポイントをシグナリングする。ｅＮＢ１０２は、システム情報シグナリング、ＲＲＣシグナリングまたは一つ以上のｅＰＣＦＩＣＨにより搬送される一つ以上のステップ２０２で生成されたｅＣＦＩを送信することにより、ｅＰＤＣＣＨのサイズ（例えばｎ）を追加的にシグナリングしうる。
【０１２３】
第一のアプローチの第二のケースでは、ｅＮＢ１０２は、ＲＲＣシグナリングによりｅＰＤＣＣＨの開始または終了ポイントをシグナリングする。ｅＮＢ１０２は、システム情報シグナリング、ＲＲＣシグナリングまたは一つ以上のｅＰＣＦＩＣＨにより搬送される一つ以上のステップ２０２で生成されたｅＣＦＩを送信することにより、ｅＰＤＣＣＨのサイズ（例えばｎ）を追加的にシグナリングしうる。第一のアプローチの第三のケースでは、ｅＮＢ１０２は、一つ以上のｅＰＣＦＩＣＨにより搬送される一つ以上のステップ２０２で生成されたｅＣＦＩを送信することにより、ｅＰＤＣＣＨの開始または終了ポイントおよびｅＰＤＣＣＨのサイズ（例えばｎ）の両方をシグナリングしうる。
【０１２４】
第一のアプローチの第四のケースでは、ｅＮＢ１０２は、システム情報シグナリングを送信することによりｅＰＤＣＣＨのサイズをシグナリングする。ｅＮＢ１０２は、ＲＲＣシグナリングまたは一つ以上のｅＰＣＦＩＣＨにより搬送される一つ以上のステップ２０２で生成されたｅＣＦＩを送信することにより、ｅＰＤＣＣＨの開始または終了ポイントを追加的にシグナリングしうる。
【０１２５】
第二のアプローチでは、ｅＮＢ１０２は、二つのパラメータ、すなわちｅＰＤＣＣＨの開始または終了ポイントとブラインド復号化候補の数とをシグナリングしうる。ｅＮＢ１０２は、これらの二つのパラメータの各々を、システム情報シグナリング（例えば静的構成）、ＲＲＣシグナリング（例えば半静的構成）により、または一つ以上のｅＰＣＦＩＣＨにより搬送される一つ以上のステップ２０２で生成されたｅＣＦＩを通じて（例えば動的に）シグナリングしうる。
【０１２６】
第二のアプローチの第一のケースでは、ｅＮＢ１０２は、システム情報シグナリングを送信することによりｅＰＤＣＣＨの開始または終了ポイントをシグナリングする。ｅＮＢ１０２は、システム情報シグナリング、ＲＲＣシグナリングまたは一つ以上のｅＰＣＦＩＣＨにより搬送される一つ以上のステップ２０２で生成されたｅＣＦＩを送信することにより、ブラインド復号化候補の数を追加的にシグナリングしうる。
【０１２７】
第二のアプローチの第二のケースでは、ｅＮＢ１０２は、ＲＲＣシグナリングによりｅＰＤＣＣＨの開始または終了ポイントをシグナリングする。ｅＮＢ１０２は、システム情報シグナリング、ＲＲＣシグナリングまたは一つ以上のｅＰＣＦＩＣＨにより搬送される一つ以上のステップ２０２で生成されたｅＣＦＩを送信することにより、ブラインド復号化候補の数を追加的にシグナリングしうる。第二のアプローチの第三のケースでは、ｅＮＢ１０２は、一つ以上のｅＰＣＦＩＣＨにより搬送される一つ以上のステップ２０２で生成されたｅＣＦＩを送信することにより、ｅＰＤＣＣＨの開始または終了ポイントおよびブラインド復号化候補の数の両方をシグナリングしうる。
【０１２８】
第二のアプローチの第四のケースでは、ｅＮＢ１０２は、システム情報シグナリングを送信することによりブラインド復号化候補の数をシグナリングする。ｅＮＢ１０２は、ＲＲＣシグナリングまたは一つ以上のｅＰＣＦＩＣＨにより搬送される一つ以上のステップ２０２で生成されたｅＣＦＩを送信することにより、ｅＰＤＣＣＨの開始または終了ポイントを追加的にシグナリングしうる。
【０１２９】
ｅＰＤＳＣＨが一つの隣接した領域である第三のアプローチでは、ｅＮＢ１０２は、一つのパラメータ、すなわちｅＰＤＳＣＨの開始または終了ポイントをシグナリングしうる。ｅＮＢ１０２は、このパラメータを、システム情報シグナリング（例えば静的構成）、ＲＲＣシグナリング（例えば半静的構成）により、または一つ以上のｅＰＣＦＩＣＨにより搬送される一つ以上のステップ２０２で生成されたｅＣＦＩを通じて（例えば動的に）シグナリングしうる。
【０１３０】
図３は、制御フォーマットを決定する方法３００の一構成を示した流れ図である。例えば、図３は、ユーザ機器（ＵＥ）１２６でのエンハンスト物理制御フォーマット指示チャネル（ｅＰＣＦＩＣＨ）のシグナリングを示す。ＵＥ１２６は、第一サブフレームを受信（ステップ３０２）しうる。例えば、ＵＥ１２６は、第一サブフレームを含むＯＦＤＭ信号を受信（ステップ３０２）しうる。
【０１３１】
ＵＥ１２６は、第一ｅＰＣＦＩＣＨに対応する第一ｅＣＦＩを取得（ステップ３０４）しうる。ステップ３０４で取得される第一ｅＣＦＩは、少なくとも部分的に第一ｅＰＤＣＣＨ領域（例えばｅＰＤＣＣＨの伝送に割り当てられたリソース）を指示しうる。例えば、第一ｅＣＦＩは、独立してｅＰＤＣＣＨ領域を指示しうる。あるいは、第一ｅＣＦＩは、以下のアプローチで説明されるように、システム情報シグナリングまたはＲＲＣシグナリング等の別の種類のシグナリングを介して受信される別のパラメータとの組み合わせでｅＰＤＣＣＨ領域を指示しうる。第一ｅＣＦＩは、第一セットのリソースエレメントに含まれうる。第一セットのリソースエレメントは、初めに第一サブフレームの第一スロットの時間リソースにわたり、それから周波数リソースにわたり配置されればよい。
【０１３２】
ＵＥ１２６は、第一ｅＣＦＩに基づいて第一ｅＰＤＣＣＨ領域を決定（ステップ３０６）しうる。例えば、ＵＥ１２６は、ｅＰＤＣＣＨ領域の位置および／またはサイズを決定（ステップ３０６）するために、上述のアプローチの一つ以上にしたがって第一ｅＣＦＩを解釈しうる。
【０１３３】
いくつかの実装では、ＵＥ１２６は、一つ以上のｅＣＦＩに対応するビット（例えばｅＣＦＩビット）を任意にデインターリーブしうる。追加的または代替的に、ＵＥ１２６は、一つ以上のｅＣＦＩに対応するビット（例えばｅＣＦＩビット）を任意にデスクランブルしうる。
【０１３４】
いくつかの実装では、ＵＥ１２６は、ｅＰＣＦＩＣＨ領域の位置を指示する信号も受信しうる。この信号の例には、（静的割り当てのための）システム情報信号、（半静的または半動的割り当てのための）ＲＲＣ信号およびＰＤＣＣＨまたはｅＰＤＣＣＨ共通制御シグナリングが含まれる。ＵＥ１２６は、この信号を使用して第一ｅＰＣＦＩＣＨの位置（例えばｅＰＣＦＩＣＨ領域）を決定しうる。いくつかの実装では、第一セットのリソースエレメントは、ＵＥ１２６が第一スロットの共通サーチスペースから取得しうる第一ＤＣＩ中にあればよい。
【０１３５】
いくつかの実装では、ＵＥ１２６は、第二ｅＰＣＦＩＣＨに対応する第二ｅＣＦＩを取得しうる。ＵＥ１２６は、第一サブフレームの第二スロットの第二セットのリソースエレメントから、第二ｅＣＦＩを取得しうる。ＵＥ１２６が第二スロットの第二ｅＰＣＦＩＣＨに対応する第二ｅＣＦＩを取得しないケースでは、ＵＥ１２６は、第一スロットの第一ｅＣＦＩのパラメータを第二スロットに適用しうる。
【０１３６】
いくつかの実装では、第一スロットの第一セットのリソースエレメントは、ランダム周波数オフセットを有しうる。第二ｅＰＣＦＩＣＨに対応する第二ｅＣＦＩが第二スロットから取得されるケースでは、第二スロットの第二セットのリソースエレメントに適用されるランダムな周波数オフセットとは別々の（例えば異なる）ランダム周波数オフセットを第一セットのリソースエレメントが有しうる。いくつかの実装では、ＵＥ１２６は、（セル固有のパラメータである）ランダム周波数オフセットを指示するシグナリングを受信しうる。例えば、ＵＥ１２６は、ランダム周波数オフセットを指示するＲＲＣ信号を受信しうる。
【０１３７】
いくつかの実装では、ＵＥ１２６は、第一レイヤから第一ｅＰＣＦＩＣＨに対応する第一セットのリソースエレメントを、第二レイヤから第二ｅＰＣＦＩＣＨに対応する第二セットのリソースエレメントを取得しうる。第一ｅＰＣＦＩＣＨは、プリコーディングされなくてよく、またはＵＥ１２６のセットに共通のプリコーディングマトリックスに基づいてプリコーディングされればよい。
【０１３８】
第一ｅＰＣＦＩＣＨは、１〜数ｎの間の値を有する第一ｅＣＦＩを含みうる。数の単位は、リソースブロック、リソースエレメント、ｘの連続したリソースエレメントのセットおよびリソースブロックの分数に基づいて定義されうる。ＵＥ１２６は、数ｎの単位の定義に基づいて第一ｅＣＦＩを解釈しうる。いくつかの実装では、数ｎの単位は（例えば半静的態様で）変動しうる。例えば、ＵＥ１２６は、ｅＮＢ１０２から受信されるＲＲＣシグナリングに基づいて数ｎの単位を決定しうる。
【０１３９】
ｅＰＤＣＣＨを決定するために、ＵＥ１２６によりいくつかのアプローチの一つが適用されればよい。これらのアプローチおよびアプローチの範囲内のケースに関する詳細は上述しているが、以下に概説する。第一のアプローチでは、ＵＥ１２６は、二つのパラメータ、すなわちｅＰＤＣＣＨの開始または終了ポイントとｅＰＤＣＣＨのサイズとを受信しうる。ＵＥ１２６は、これらの二つのパラメータの各々を、システム情報シグナリング（例えば静的構成）、ＲＲＣシグナリング（例えば半静的構成）により、または一つ以上のｅＰＣＦＩＣＨにより搬送される一つ以上のステップ３０４で取得されたｅＣＦＩを通じて（例えば動的に）受信しうる。
【０１４０】
第一のアプローチの第一のケースでは、ＵＥ１２６は、システム情報シグナリングを受信することによりｅＰＤＣＣＨの開始または終了ポイントを受信する。ＵＥ１２６は、システム情報シグナリング、ＲＲＣシグナリングまたは一つ以上のｅＰＣＦＩＣＨにより搬送される一つ以上のステップ３０４で取得されたｅＣＦＩを受信することにより、ｅＰＤＣＣＨのサイズ（例えばｎ）を追加的に受信しうる。
【０１４１】
第一のアプローチの第二のケースでは、ＵＥ１２６は、ＲＲＣシグナリングによりｅＰＤＣＣＨの開始または終了ポイントを受信する。ＵＥ１２６は、システム情報シグナリング、ＲＲＣシグナリングまたは一つ以上のｅＰＣＦＩＣＨにより搬送される一つ以上のステップ３０４で取得されたｅＣＦＩを受信することにより、ｅＰＤＣＣＨのサイズ（例えばｎ）を追加的に受信しうる。第一のアプローチの第三のケースでは、ＵＥ１２６は、一つ以上のｅＰＣＦＩＣＨにより搬送される一つ以上のステップ３０４で取得されたｅＣＦＩを受信することにより、ｅＰＤＣＣＨの開始または終了ポイントおよびｅＰＤＣＣＨのサイズ（例えばｎ）の両方を受信しうる。
【０１４２】
第一のアプローチの第四のケースでは、ＵＥ１２６は、システム情報シグナリングを受信することにより、ｅＰＤＣＣＨのサイズを受信する。ＵＥ１２６は、ＲＲＣシグナリングまたは一つ以上のｅＰＣＦＩＣＨにより搬送される一つ以上のステップ３０４で取得されたｅＣＦＩを受信することにより、ｅＰＤＣＣＨの開始または終了ポイントを追加的に受信しうる。
【０１４３】
第二のアプローチでは、ＵＥ１２６は、二つのパラメータ、すなわちｅＰＤＣＣＨの開始または終了ポイントとブラインド復号化候補の数とを受信しうる。ＵＥ１２６は、これらの二つのパラメータの各々を、システム情報シグナリング（例えば静的構成）、ＲＲＣシグナリング（例えば半静的構成）により、または一つ以上のｅＰＣＦＩＣＨにより搬送される一つ以上のステップ３０４で取得されたｅＣＦＩを通じて（例えば動的に）、受信しうる。
【０１４４】
第二のアプローチの第一のケースでは、ＵＥ１２６は、システム情報シグナリングを受信することにより、ｅＰＤＣＣＨの開始または終了ポイントを受信する。ＵＥ１２６は、システム情報シグナリング、ＲＲＣシグナリングまたは一つ以上のｅＰＣＦＩＣＨにより搬送される一つ以上のステップ３０４で取得されたｅＣＦＩを受信することにより、ブラインド復号化候補の数を追加的に受信しうる。
【０１４５】
第二のアプローチの第二のケースでは、ＵＥ１２６は、ＲＲＣシグナリングによりｅＰＤＣＣＨの開始または終了ポイントを受信する。ＵＥ１２６は、システム情報シグナリング、ＲＲＣシグナリングまたは一つ以上のｅＰＣＦＩＣＨにより搬送される一つ以上のステップ３０４で取得されたｅＣＦＩを受信することにより、ブラインド復号化候補の数を追加的に受信しうる。第二のアプローチの第三のケースでは、ＵＥ１２６は、一つ以上のｅＰＣＦＩＣＨにより搬送される一つ以上のステップ３０４で取得されたｅＣＦＩを受信することにより、ｅＰＤＣＣＨの開始または終了ポイントおよびブラインド復号化候補の数の両方を受信しうる。
【０１４６】
第二のアプローチの第四のケースでは、ＵＥ１２６は、システム情報シグナリングを受信することにより、ブラインド復号化候補の数を受信する。ＵＥ１２６は、ＲＲＣシグナリングまたは一つ以上のｅＰＣＦＩＣＨにより搬送される一つ以上のステップ３０４で取得されたｅＣＦＩを受信することにより、ｅＰＤＣＣＨの開始または終了ポイントを追加的に受信しうる。
【０１４７】
ｅＰＤＳＣＨが一つの隣接した領域である第三のアプローチでは、ＵＥ１２６は一つのパラメータ、すなわちｅＰＤＳＣＨの開始または終了ポイントを受信しうる。ＵＥ１２６は、このパラメータを、システム情報シグナリング（例えば静的構成）、ＲＲＣシグナリング（例えば半静的構成）により、または一つ以上のｅＰＣＦＩＣＨにより搬送される一つ以上のステップ３０４で取得されたｅＣＦＩを通じて（例えば動的に）受信しうる。
【０１４８】
図４は、スロット４４０の一例を示したブロックダイヤグラムである。ある数のリソースブロック４４８が割り当てられるとき、各スロット４４０（サブフレームの半分）は、
【０１４９】
【数１】
2015508579.tif 000003
【０１５０】
のサブキャリア４４４およびサブキャリアあたりのシンボル数
Ｎｓｙｍｂ
４４２を含みうる。物理リソースブロック４４８は、ある数のリソースエレメント４５０を含めばよく、時間ドメインの一つのスロット４４０および周波数ドメインのある数
【０１５１】
【数２】
2015508579.tif 000004
【０１５２】
のサブキャリア４４６に対応しうる。（サブキャリアあたりの）シンボル数４４２は、サイクリックプレフィックスに依存しうる。例えばサイクリックプレフィックスに応じて、いくつかのスロットは（サブキャリアあたり）六シンボルを含み、いくつかのスロット４４０は（サブキャリア４４４あたり）七シンボルを含みうる。各リソースエレメント４５０を、インデックスｋおよびｌにより指示することができ、ｌはシンボルインデックスであり、ｋはサブキャリアインデックスである。
【０１５３】
図５は、スロット５４０の別の例を示したブロックダイヤグラムである。特に、図５は、Ｒｅｌｅａｓｅ８〜１０仕様にしたがった第一ダウンリンクスロット５４０における制御情報およびデータの割り当てを示す。この構成では、スロット５４０は、ＰＤＣＣＨ５５６（例えば制御情報）とＰＤＳＣＨ５６０（例えばデータ）とを含む。例えば、ＰＤＣＣＨ５５６は、まず周波数５５２リソースに沿って、それから時間５５４リソースに沿って割り当てられうる。例えば一つ、二つまたは三つのＯＦＤＭシンボルが、ＰＤＣＣＨ５５６に割り当てられうる。このケースでは、ＰＤＳＣＨの開始ポイント５５８からのスロット５４０の残りがＰＤＳＣＨ５６０を含みうる。上述の通り、このアプローチは、ＰＤＣＣＨ５５６に割り当てられた全てのリソースが占有（例えばビットまたはシンボルがロード）されないケースでは無駄であろう。
【０１５４】
図６は、スロット６４０の別の例を示したブロックダイヤグラムである。本明細書に開示されるシステムおよび方法により、予想されるＲｅｌｅａｓｅ１１仕様（および場合によってはＲｅｌｅａｓｅ１１以降）にしたがって動作しうるｅＰＤＣＣＨ６６２を提供することができる。ｅＰＤＣＣＨ６６２では、Ｒｅｌｅａｓｅ８〜１０仕様と異なり、ＯＦＤＭシンボル全体が制御チャネル情報の専用でなくてよい。特に、図５は、３ＧＰＰ  Ｒｅｌｅａｓｅ８〜１０仕様にしたがった制御（例えばＰＤＣＣＨ５５６）およびデータ（例えばＰＤＳＣＨ５６０）の割り当ての概念を示す。これに対して図６は、予想されるＲｅｌｅａｓｅ１１仕様（および場合によってはＲｅｌｅａｓｅ１１以降）での制御情報（例えばｅＰＤＣＣＨ６６２）およびデータ（例えばＰＤＳＣＨ６６６）の割り当ての概念を示す。
【０１５５】
エクステンションキャリアとして知られる専用のコンポーネントキャリアが、Ｒｅｌｅａｓｅ１１のＵＥに特に適用されうる。換言すれば、エクステンションキャリアは、レガシーＵＥ（例えばＲｅｌｅａｓｅ８〜１０仕様にしたがって動作するＵＥ）と後方互換性がなくてよい。例えば、ｅＰＤＣＣＨ６６２は、エクステンションキャリアとして知られる専用の後方互換性のないコンポーネントキャリアに含まれうる。この構成では、図６に示すように、時間６５４および周波数６５２リソースが制御（例えばｅＰＤＣＣＨ６６２）およびデータ（例えばＰＤＳＣＨ６６６）に割り当てられうる。例えば、ｅＰＤＣＣＨ６６２は、最初に時間６５４リソースに、それから周波数６５２リソースにロードされればよい。したがって、ｅＰＤＣＣＨ６６２は、スロット６４０をＰＤＳＣＨ６６６の開始ポイント６６４まで占有しうる。いくつかの構成では、ｅＰＤＣＣＨ６６２は、（例えばスロット６４０の）時間６５４ドメインの全てのシンボルに延びればよいが、周波数６５２ドメインの全てのサブキャリアに延びていなくてよい。
【０１５６】
図７は、スロット７４０の別の例を示したブロックダイヤグラムである。特に、図７は、時間７５４および周波数７５２にわたるスロット７４０を示す。この例では、ｅＰＤＣＣＨ７７０は、ＰＤＣＣＨ７５６の伝送もサポートするコンポーネントキャリアにおいて（例えばｅＰＤＣＣＨ７７０領域において）伝送されうる。特に、図７は、スロット７４０のＰＤＣＣＨ７５６、ｅＰＤＣＣＨ７７０およびＰＤＳＣＨ７６８を示す。
【０１５７】
制御のペイロード、ｅＰＤＣＣＨ６６２、７７０のサイズ（例えばｅＰＤＣＣＨ６６２、７７０により占有されるリソースエレメントの数）に応じて、ｅＰＤＣＣＨ６６２、７７０に割り当てられるサブキャリアの数は変動しうる。ｅＰＤＣＣＨ６６２、７７０の復号化を試みる全てのＵＥにとっては、ｅＰＤＣＣＨ６６２、７７０に割り当てられた領域（例えば領域の境界）を知ることが有益であろう。ｅＰＤＣＣＨ６６２、７７０の領域を知ることにより、ｅＰＤＣＣＨ６６２、７７０におけるブラインド復号化の量およびダウンリンク制御情報（ＤＣＩ）の配置を決定できる。エンハンスト（または拡張）物理制御フォーマット指示チャネル（ｅＰＣＦＩＣＨ）の内容に基づいて、（ＵＥが）ｅＰＤＣＣＨ６６２、７７０を決定しうる。ｅＰＣＦＩＣＨの内容を、エンハンスト（または拡張）制御フォーマット指示子（ｅＣＦＩ）と呼称しうる。明確のため、ｅＰＣＦＩＣＨはチャネルであり、ｅＰＣＦＩＣＨを通じて搬送される情報内容をｅＣＦＩと呼称しうる。
【０１５８】
（例えば図６に示される割り当てにしたがって）一つの隣接した物理ダウンリンクシェアドチャネル（ＰＤＳＣＨ）６６６、またはエンハンスト（または拡張）ＰＤＳＣＨ（ｅＰＤＳＣＨ）が存在するようにｅＰＤＣＣＨ６６２が割り当てられる場合には、ＰＤＳＣＨ６６６またはｅＰＤＳＣＨの開始ポイント６６４によりｅＰＤＣＣＨ６６２領域を決定することもできる。しかし、ｅＰＤＣＣＨ７７０がＰＤＳＣＨ７６８またはｅＰＤＳＣＨを二つのばらばらのパーティションに分割する場合には、ＰＤＳＣＨ７６８またはｅＰＤＳＣＨの開始ポイント７５８により（単独では）ｅＰＤＣＣＨ７７０領域を決定することができない。ｅＰＤＳＣＨという用語は、ｅＰＤＣＣＨ７７０にリンクされた（例えば関連付けられた）シェアドチャネルをさすために使用されうることに注意しなければならない。したがって、ＰＤＣＣＨの宛先となるまたはＰＤＣＣＨにリンクされたダウンリンクリソース（例えばＰＤＳＣＨ）と、ｅＰＤＣＣＨの宛先となるまたはｅＰＤＣＣＨにリンクされたダウンリンクリソース（例えばｅＰＤＳＣＨ）とを区別することができる。
【０１５９】
図８は、連続したリソースエレメントを割り当てうるやり方のいくつかの例を示したブロックダイヤグラムである。特に図８は、周波数８５２および時間８５４にわたるスロットＡ８４０ａおよびスロットＢ８４０ｂを示す。第一の例８７２ａでは、スロットＡ８４０ａの端に達するまで時間８５４次元を増加方向に進み、それから周波数８５２次元に１サブキャリア増加させ、時間８５４次元を逆（例えば減少）方向に進むことにより、九つの連続したリソースエレメントが割り当てられればよい。第二の例８７２ｂでは、スロットＡ８４０ａの端に達するまで時間８５４次元を増加方向に進み、それから周波数８５２次元に１サブキャリア増加させ、スロットＡ８４０ａのスタートから時間８５４次元を同じ（例えば増加）方向に進むことにより、九つの連続したリソースエレメントが割り当てられればよい。
【０１６０】
第三の例８７２ｃでは、周波数８５２次元を増加方向に進むことにより、九つの連続したリソースエレメントが割り当てられればよい。第四の例８７２ｄでは、領域Ａ８７４ａの端に達するまで周波数次元を増加方向に進み、それから時間８５４次元に１シンボル増加させ、周波数８５２次元を逆（例えば減少）方向に進むなどにより、九つの連続したリソースエレメントが割り当てられればよい。第五の例８７２ｅでは、領域Ｂ８７４ｂの端に達するまで周波数次元を増加方向に進み、それから時間８５４次元に１シンボル増加させ、周波数８５２次元を同じ（例えば増加）方向に進むなどにより、九つの連続したリソースエレメントが割り当てられればよい。
【０１６１】
図９は、エンハンスト物理制御フォーマット指示チャネル（ｅＰＣＦＩＣＨ）のリソース割り当ておよびシンボルマッピングの例を示したブロックダイヤグラムである。特に、時間９５４および周波数９５２次元にわたるスロットＡ９４０ａおよびスロットＢ９４０ｂが示されている。各スロット９４０ａ〜ｂは、一つ以上のｅＰＣＦＩＣＨに対応するビットまたはシンボルに割り当てられうるある数のリソースエレメント９５０を含みうる。
【０１６２】
図９は、シンボルマッピングのための二つのシナリオ（例えばスロットＡ９４０ａおよびスロットＢ９４０ｂ）のほか、ｅＰＣＦＩＣＨ領域９７６ａ〜ｂ（割り当てられたリソース）、セル固有周波数オフセット９８０ａ〜ｂを示す。スロットＡ９４０ａでは、ｅＰＣＦＩＣＨシンボルＡ９７８ａが、最初に時間９５４軸に沿ってマッピングされ、他方でスロットＢ９４０ｂでは、ｅＰＣＦＩＣＨシンボルＢ９７８ｂが、最初に周波数９５２軸に沿ってマッピングされる。いずれのケースでも、ｅＰＣＦＩＣＨシンボル９７８がｅＰＣＦＩＣＨ領域９７６全体を満たせない場合には、残りの満たされていないリソースエレメントが、場合によっては０を表すダミーシンボルで満たされればよく、０で満たすことはゼロ詰めとしても知られる。
【０１６３】
より具体的には、スロットＡ９４０ａは、ｅＰＣＦＩＣＨ領域Ａ９７６ａを含みうる。ｅＰＣＦＩＣＨ領域Ａ９７６ａのいくつかのリソースエレメント９５０が、（ビットのセットを含みまたは表す）ｅＰＣＦＩＣＨシンボルＡ９７８ａに割り当てられればよい。図９に示すように、ｅＰＣＦＩＣＨシンボルＡ９７８ａ（例えばＸ１、Ｘ２、Ｘ３など）が、最初に時間９５４次元にわたり、それから周波数９５２次元にわたり、リソースエレメントにロードされればよい。各ｅＰＣＦＩＣＨ領域９７６は、一つ以上のｅＰＣＦＩＣＨ９３３を含みうることに注意しなければならない。例えば、ｅＰＣＦＩＣＨ領域Ａ９７６ａは、ｅＰＣＦＩＣＨ  Ａ９３３ａとｅＰＣＦＩＣＨ  Ｂ９３３ｂとを含みうる。各ｅＰＣＦＩＣＨ９３３が、一つ以上のｅＣＦＩを搬送しうる。
【０１６４】
スロットＢ９４０ｂは、ｅＰＣＦＩＣＨ領域Ｂ９７６ｂを含みうる。ｅＰＣＦＩＣＨ領域Ｂ９７６ｂのいくつかのリソースエレメント９５０が、（ビットのセットを含みまたは表す）ｅＰＣＦＩＣＨシンボルＢ９７８ｂに割り当てられればよい。図９に示すように、ｅＰＣＦＩＣＨシンボルＢ９７８ｂ（例えばＸ１、Ｘ２、Ｘ３など）が、最初に周波数９５２次元にわたり、それから時間９５４次元にわたり、リソースエレメントにロードされればよい。
【０１６５】
周波数オフセット９８０ａ〜ｂが、図９にさらに示される。周波数オフセット９８０は、スロット９４０のスタートとｅＰＣＦＩＣＨ領域９７６との間の周波数次元９５２のある数のサブキャリアを特定しうる。本明細書のシステムおよび方法によれば、各スロット９４０が、それぞれのｅＰＣＦＩＣＨに適用される別々の周波数オフセット９８０を有しうる。スロット９４０の間の別々の周波数オフセットは、同じでも異なってもよいことに注意しなければならない。例えば、スロットＡ９４０ａの周波数オフセットＡ９８０ａは、スロットＢ９４０ｂの周波数オフセットＢ９８０ｂと異なる。
【０１６６】
図９は、ｅＣＦＩｓを生成およびロードする方法９００の一例も示す。この例では、ｅＮＢ１０２がｅＰＤＣＣＨ領域を決定（ステップ９２３）しうる。例えばｅＮＢ１０２が、ｅＰＤＣＣＨ領域のためのリソース割り当てを決定（ステップ９２３）しうる。
【０１６７】
ｅＮＢ１０２は、ｅＰＤＣＣＨ領域に基づいてｅＣＦＩビットを生成（ステップ９２５）しうる。例えばｅＮＢ１０２は、ｅＰＤＣＣＨ領域を指示するｅＣＦＩビットを生成（ステップ９２５）しうる。
【０１６８】
ｅＮＢ１０２は、ｅＣＦＩビットに基づいて変調シンボルを生成（ステップ９２７）しうる。例えばｅＮＢ１０２は、ｅＣＦＩビットを処理、スクランブル、インターリーブ、変調および／またはプリコーディングするなどして、変調シンボルを生産しうる。
【０１６９】
ｅＮＢ１０２は、一つ以上のｅＣＦＩを生成（ステップ９２９）しうる。例えばｅＣＦＩは、一つ以上の変調シンボルのシーケンスを含みうる。また、ｅＮＢ１０２が、一つ以上のｅＣＦＩを物理リソースにマッピング（ステップ９３１）しうる。この例では、ｅＰＣＦＩＣＨシンボルＡ９７８ａは、シンボルＸ１、Ｘ２およびＸ３などを含むｅＣＦＩを含みうる。
【０１７０】
したがって図９は、ｅＣＦＩビットとｅＣＦＩとｅＰＣＦＩＣＨとの間の関係を示しうる。同様の関係が、ＤＣＩビットとＤＣＩとｅＰＤＣＣＨとの間に成立しうる。単一のパラメータで識別できない複数の領域があるケースでは（例えば各領域が異なるサイズを有するとき）、別のｅＣＦＩおよびｅＰＣＦＩＣＨが利用されうることに注意しなければならない。
【０１７１】
図１０は、ユーザ機器（ＵＥ）１０２６において利用されうる様々な構成要素を示す。本明細書に記載されるＵＥ１２６の一つ以上は、図１１と関連して記載されるＵＥ１０２６にしたがって実装されればよい。ＵＥ１０２６は、ＵＥ１０２６の動作を制御するプロセッサ１０８２を含む。プロセッサ１０８２は、中央演算処理装置（ＣＰＵ）とも呼称されうる。メモリ１０９４は、読取り専用メモリ（ＲＯＭ）、ランダムアクセスメモリ（ＲＡＭ）、ＲＯＭとＲＡＭの組み合わせまたは情報を記憶できる任意のデバイスを含めばよく、プロセッサ１０８２に命令１０８４ａおよびデータ１０８６ａを提供する。メモリ１０９４の一部は、不揮発性ランダムアクセスメモリ（ＮＶＲＡＭ）も含みうる。命令１０８４ｂおよびデータ１０８６ｂも、プロセッサ１０８２内にありうる。プロセッサ１０８２にロードされた命令１０８４ｂおよび／または１０８６ｂは、プロセッサ１０８２による実行または処理のためにロードされたメモリ１０９４からの命令１０８４ａおよび／またはデータ１０８６ａも含みうる。方法３００および上述のアプローチの一つ以上を実装するために、プロセッサ１０８２により命令１０８４ｂが実行されればよい。
【０１７２】
ＵＥ１０２６は、データの伝送および受信を可能にするために一つ以上の伝送器１０９０と一つ以上の受信器１０９２とを含むハウジングも含みうる。伝送器（単数または複数）１０９０および受信器（単数または複数）１０９２は、一つ以上のトランシーバ１０８８に組み合わせられればよい。一つ以上のアンテナ１０２８ａ〜ｎがハウジングに取り付けられ、トランシーバ１０８８に電気的に結合される。
【０１７３】
ＵＥ１０２６の様々な構成要素が、バスシステム１００１により一緒に結合され、バスシステム１００１はデータバスに加えて、パワーバス、制御信号バスおよびステータス信号バスを含みうる。しかし、明確のため、図１０においては様々なバスがバスシステム１００１として示される。ＵＥ１０２６は、信号処理に用いられるデジタル信号プロセッサ（ＤＳＰ）１０９６も含みうる。ＵＥ１０２６は、ＵＥ１０２６の機能に対するユーザアクセスを提供する通信インタフェース１０９８も含みうる。図１０に示したＵＥ１０２６は、特定の構成要素のリストではなく機能ブロック図である。
【０１７４】
図１１は、イボルブドノードＢ（ｅＮＢ）１１０２において利用されうる様々な構成要素を示す。本明細書に記載されるｅＮＢ１０２の一つ以上は、図１１と関連して記載されるｅＮＢ１１０２にしたがって実装されればよい。ｅＮＢ１１０２は、ｅＮＢ１１０２の動作を制御するプロセッサ１１０３を含む。プロセッサ１１０３は、中央演算処理装置（ＣＰＵ）とも呼称されうる。メモリ１１１５は、読取り専用メモリ（ＲＯＭ）、ランダムアクセスメモリ（ＲＡＭ）、ＲＯＭとＲＡＭの組み合わせまたは情報を記憶できる任意のデバイスを含めばよく、プロセッサ１１０３に命令１１０５ａおよびデータ１１０７ａを提供する。メモリ１１１５の一部は、不揮発性ランダムアクセスメモリ（ＮＶＲＡＭ）も含みうる。命令１１０５ｂおよびデータ１１０７ｂも、プロセッサ１１０３内にありうる。プロセッサ１１０３にロードされた命令１１０５ｂおよび／または１１０７ｂは、プロセッサ１１０３による実行または処理のためにロードされたメモリ１１１５からの命令１１０５ａおよび／またはデータ１１０７ａも含みうる。方法２００および上記のアプローチの一つ以上を実装するために、プロセッサ１１０３により命令１１０５ｂが実行されればよい。
【０１７５】
ｅＮＢ１１０２は、データの伝送および受信を可能にするために一つ以上の伝送器１１１１と一つ以上の受信器１１１３とを含むハウジングも含みうる。伝送器（単数または複数）１１１１および受信器（単数または複数）１１１３は、一つ以上のトランシーバ１１０９に組み合わせられればよい。一つ以上のアンテナ１１２４ａ〜ｎがハウジングに取り付けられ、トランシーバ１１０９に電気的に結合される。
【０１７６】
ｅＮＢ１１０２の様々な構成要素が、バスシステム１１２１により一緒に結合され、バスシステム１１２１はデータバスに加えて、パワーバス、制御信号バスおよびステータス信号バスを含みうる。しかし、明確のため、図１１においては様々なバスがバスシステム１１２１として示される。ｅＮＢ１１０２は、信号処理に用いられるデジタル信号プロセッサ（ＤＳＰ）１１１７も含みうる。ｅＮＢ１１０２は、ｅＮＢ１１０２の機能に対するユーザアクセスを提供する通信インタフェース１１１９も含みうる。図１１に示したｅＮＢ１１０２は、特定の構成要素のリストではなく機能ブロック図である。
【０１７７】
「コンピュータ可読媒体」という用語は、コンピュータまたはプロセッサがアクセスできる任意の利用可能な媒体をいう。本明細書で用いられるところの「コンピュータ可読媒体」という用語は、非一時的で有形のコンピュータおよび／またはプロセッサ可読媒体を示しうる。限定ではなく例として、コンピュータ可読またはプロセッサ可読媒体には、ＲＡＭ、ＲＯＭ、ＥＥＰＲＯＭ、ＣＤ−ＲＯＭもしくは他の光学ディスク記憶装置、磁気ディスク記憶装置もしくは他の磁気記憶デバイス、または命令もしくはデータ構造の形で所望のプログラムコードを搬送もしくは記憶するために使用でき、コンピュータまたはプロセッサによりアクセスできる任意の他の媒体を含みうる。本明細書で用いられるところのディスク（Ｄｉｓｋ）およびディスク（ｄｉｓｃ）には、コンパクトディスク（ＣＤ）、レーザーディスク、光ディスク、デジタル多用途ディスク（ＤＶＤ）、フロッピーディスクおよびブルーレイ（登録商標）ディスクを含み、ディスク（ｄｉｓｋ）は通常磁気によりデータを再現し、ディスク（ｄｉｓｃ）はレーザで光学的にデータを再現する。
【０１７８】
本明細書に記載される方法の一つ以上は、ハードウェアを使用して実装および／または実施されうることに注意しなければならない。例えば、本明細書に記載される方法の一つ以上は、チップセット、特定用途向け集積回路（ＡＳＩＣ）、大規模集積回路（ＬＳＩ）または集積回路等を使用して実装および／または実現されうる。
【０１７９】
本明細書に開示される方法の各々には、記載された方法を達成するための一つ以上のステップまたはアクションが含まれる。方法ステップおよび／またはアクションは、請求の範囲を逸脱することなく相互に交換され、および／または一つのステップに組み合わされうる。換言すれば、記載されている方法の適切な動作のためにステップまたはアクションの特定の順序が必要とされない限り、特定のステップおよび／またはアクションの順序および／または使用は、請求の範囲を逸脱することなく修正されうる。
【０１８０】
特許請求の範囲は、上述の正確な構成および構成要素に限定されないことを理解されたい。請求の範囲を逸脱することなく、本明細書に記載のシステム、方法、および装置の設定、動作および詳細につき様々な修正、変更および変形がなされうる。
【０１８１】
補足
制御フォーマットを指示するためのイボルブドノードＢ（ｅＮＢ）が記載される。このｅＮＢは、プロセッサと、プロセッサと電子通信するメモリに記憶された命令とを含む。ｅＮＢは、第一エンハンスト物理制御フォーマット指示チャネル（ｅＰＣＦＩＣＨ）に対応する第一エンハンスト制御フォーマット指示子（ｅＣＦＩ）を生成する。第一ｅＣＦＩは、少なくとも部分的に第一エンハンスト物理ダウンリンク制御チャネル（ｅＰＤＣＣＨ）領域を指示する。また、ｅＮＢは、第一ｅＣＦＩを第一スロットの第一セットのリソースエレメントにロードする。ｅＮＢはさらに、第一ｅＣＦＩを第一サブフレームの第一スロットにおいて送信する。第一ｅＰＣＦＩＣＨは、共通サーチスペースの第一ダウンリンク制御情報（ＤＣＩ）であればよい。
【０１８２】
第一セットのリソースエレメントは、初めに第一スロットの時間リソースにわたり、それから周波数リソースにわたり、ロードされればよい。第一セットのリソースエレメントは、第一スロットの始めのある数のリソースエレメント、第一スロットの終わりのある数のリソースエレメント、第一スロットの動的セル固有セットのリソースエレメント、第一スロットの静的セル固有セットのリソースエレメントまたは第一スロットの半静的セル固有セットのリソースエレメントを含みうる。
【０１８３】
ｅＮＢは、第一セットのｅＣＦＩビットをインターリーブしうる。ｅＮＢは、第一セットのｅＣＦＩビットをセル固有のスクランブルシーケンスによりスクランブルしうる。
【０１８４】
ｅＮＢは、第一セットのリソースエレメントを指示するシステム情報シグナリング、無線リソース制御（ＲＲＣ）シグナリング、物理ダウンリンク制御チャネル（ＰＤＣＣＨ）共通制御シグナリングおよびｅＰＤＣＣＨ共通制御シグナリングの一つ以上を送信しうる。ｅＮＢは、無線リソース制御（ＲＲＣ）シグナリングを送信することにより、ランダム周波数オフセットをシグナリングしうる。
【０１８５】
ｅＮＢは、第二ｅＰＣＦＩＣＨに対応する第二ｅＣＦＩを生成しうる。また、ｅＮＢは、第二ｅＣＦＩを第一サブフレームの第二スロットの第二セットのリソースエレメントにロードしうる。第一ｅＰＣＦＩＣＨに適用される第一ランダム周波数オフセットは、第二ｅＰＣＦＩＣＨに適用される第二ランダム周波数オフセットとは別々でありうる。
【０１８６】
ｅＮＢは、第二ｅＰＣＦＩＣＨを第二レイヤの第一スロットにマッピングしうる。また、ｅＮＢは、第一ｅＰＣＦＩＣＨを第一レイヤの第一スロットにマッピングしうる。第一ｅＰＣＦＩＣＨはプリコーディングされなくてよく、または第一ｅＰＣＦＩＣＨはユーザ機器（ＵＥ）のセットに共通のプリコーディングマトリックスに基づいてプリコーディングされればよい。
【０１８７】
第一ｅＣＦＩは、１〜ある数の間の値を有しうる。数の単位は、リソースブロック、リソースエレメント、連続したリソースエレメントのセットまたはリソースブロックの分数に基づいて定義されうる。ｅＮＢは、数の単位をシグナリングしうる。
【０１８８】
制御フォーマットを決定するためのユーザ機器（ＵＥ）も記載される。このＵＥは、プロセッサと、プロセッサと電子通信するメモリに記憶された命令とを含む。ＵＥは、第一サブフレームを受信する。ＵＥは、第一エンハンスト物理制御フォーマット指示チャネル（ｅＰＣＦＩＣＨ）に対応する第一エンハンスト制御フォーマット指示子（ｅＣＦＩ）も取得する。第一ｅＣＦＩは、少なくとも部分的に第一物理ダウンリンク制御チャネル（ｅＰＤＣＣＨ）領域を指示する。ＵＥは加えて、第一ｅＣＦＩに基づいてｅＰＤＣＣＨ領域を決定する。ＵＥが第二スロットの第二ｅＰＣＦＩＣＨに対応する第二ｅＣＦＩを取得しない場合には、ＵＥは第一スロットの第一ｅＣＦＩのパラメータを第二スロットに適用しうる。
【０１８９】
イボルブドノードＢ（ｅＮＢ）により制御フォーマットを指示する方法も記載される。この方法は、第一エンハンスト物理制御フォーマット指示チャネル（ｅＰＣＦＩＣＨ）に対応する第一エンハンスト制御フォーマット指示子（ｅＣＦＩ）を生成するステップを含む。第一ｅＣＦＩは、少なくとも部分的に第一エンハンスト物理ダウンリンク制御チャネル（ｅＰＤＣＣＨ）領域を指示する。この方法は、第一ｅＣＦＩを第一スロットの第一セットのリソースエレメントにロードするステップも含む。この方法は加えて、第一ｅＣＦＩを第一サブフレームの第一スロットにおいて送信するステップを含む。
【０１９０】
ユーザ機器（ＵＥ）上で制御フォーマットを決定する方法も開示される。この方法は、第一サブフレームを受信するステップを含む。この方法は、第一エンハンスト物理制御フォーマット指示チャネル（ｅＰＣＦＩＣＨ）に対応する第一エンハンスト制御フォーマット指示子（ｅＣＦＩ）を取得するステップも含む。第一ｅＣＦＩは、少なくとも部分的に第一物理ダウンリンク制御チャネル（ｅＰＤＣＣＨ）領域を指示する。この方法は加えて、第一ｅＣＦＩに基づいてｅＰＤＣＣＨ領域を決定するステップを含む。
【図１】
2015508579.tif 000005
【図２】
2015508579.tif 000006
【図３】
2015508579.tif 000007
【図４】
2015508579.tif 000008
【図５】
2015508579.tif 000009
【図６】
2015508579.tif 000010
【図７】
2015508579.tif 000011
【図８】
2015508579.tif 000012
【図９】
2015508579.tif 000013
【図１０】
2015508579.tif 000014
【図１１】
2015508579.tif 000015
【国際調査報告】
2015508579.tif 000016